(57)【要約】【課題】  任意の番組属性情報に対し、任意のＷｅｂページ情報を関連付けることが可能なＷｅｂ情報処理装置を提供する。【解決手段】  例えばＷｅｂページが表示されている際にユーザから登録要求が入力されると、そのＷｅｂページを関連付けて登録する番組を指定するための画面を表示する。そして、指定された番組を特定する情報と、表示中のＷｅｂページを特定する情報とを関連付けて登録する。登録した情報は、視聴中の番組に関連付けされたＷｅｂページの有無を検出して、必要に応じてＷｅｂページを表示させるために用いられる。【選択図】  図９
2007312250.tif 000002
【特許請求の範囲】
【請求項１】
接続された表示装置にＷｅｂページを表示させる第１の表示手段と、
ユーザの指示を受け付ける入力手段と、
前記入力手段を通じて、ユーザから登録要求が入力されたことを検知する登録要求検知手段と、
前記登録要求の検知に従って、前記第１の表示手段が表示中のＷｅｂページまたは予め登録されたＷｅｂページを特定するためのＷｅｂページ情報を取得するＷｅｂページ情報取得手段と、
前記Ｗｅｂページを関連付けする番組関連情報をユーザに指定させる指定画面を前記表示装置に表示させる第２の表示手段と、
前記指定画面を通じて指定された番組関連情報と、前記Ｗｅｂぺージ情報とを関連付けて記憶部に記憶する記憶手段とを有し、
前記登録要求検知手段がユーザからの登録要求を検知した場合、前記Ｗｅｂページ情報と前記番組関連情報とを関連づけて記憶するか、前記番組関連情報と関連づけずに前記Ｗｅｂページ情報を記憶するかを選択可能とする選択画面を表示する選択手段をさらに有することを特徴とするＷｅｂ情報処理装置。
【請求項２】
前記番組に関する情報が、番組を特定可能な情報、キーワード、出演者名、ジャンル、チャンネルの少なくともいずれか１つを含むことを特徴とする請求項１記載のＷｅｂ情報処理装置。
【請求項３】
前記指定画面は、指定可能な番組関連情報を選択肢として表示する一覧表示画面または、ユーザに番組関連情報としての文字列を入力させる入力画面であることを特徴とする請求項１又は請求項２記載のＷｅｂ情報処理装置。
【請求項４】
視聴中の番組に関する番組情報を取得する番組情報取得手段と、
前記番組情報と前記記憶部に記憶された番組関連情報とから、前記視聴中の番組に関連付けされたＷｅｂページの有無を検出する第１の関連ページ検出手段と、
前記関連付けされたＷｅｂページがある場合、その旨を前記表示装置に表示する第１の通知手段とを有することを特徴とする請求項１乃至請求項３のいずれか１項に記載のＷｅｂ情報処理装置。
【請求項５】
さらに、前記入力手段を通じた前記ユーザからの指示に応答して、前記表示装置に電子番組表を表示させる第３の表示手段と、
前記表示中の電子番組表に含まれる番組に対して関連付けされたＷｅｂページの有無を検出する第２の関連ページ検出手段と、
前記関連付けされたＷｅｂページがある番組については、前記電子番組表に、その旨を表示する第２の通知手段とを有することを特徴とする請求項１乃至請求項４のいずれか１項に記載のＷｅｂ情報処理装置。
【請求項６】
前記第１の表示手段が、前記入力手段を通じた前記ユーザからの指示に応答して、前記関連付けされたＷｅｂページを前記表示装置に表示させることを特徴とする請求項４又は請求項５記載のＷｅｂ情報処理装置。
【請求項７】
前記第１の通知手段又は前記第２の通知手段が、前記入力手段を通じた前記ユーザからの指示に応答して、前記関連付けされたＷｅｂページが存在する旨の情報を表示することを特徴とする請求項４乃至請求項６のいずれか１項に記載のＷｅｂ情報処理装置。
【請求項８】
視聴中の番組に関する番組情報を取得する番組情報取得手段と、
前記番組情報と前記記憶部に記憶された番組関連情報とから、前記視聴中の番組に関連付けされたＷｅｂページの有無を検出する関連ページ検出手段とを有し、
前記関連付けされたＷｅｂページがある場合、前記第１の表示手段が、前記関連付けされたＷｅｂページを前記表示装置に表示させることを特徴とする請求項１乃至請求項３のいずれか１項に記載のＷｅｂ情報処理装置。
【請求項９】
番組に関する情報に任意のＷｅｂページを関連付けて登録するＷｅｂページ情報処理方法であって、
ユーザから登録要求が入力されたことを検知する登録要求検知ステップと、
前記登録要求の検知に従って、表示装置に表示されていたＷｅｂページまたは、予め登録されたＷｅｂページを特定するためのＷｅｂページ情報を取得するＷｅｂページ情報取得ステップと、
前記Ｗｅｂページを関連付けする番組に関する情報を、指定画面を通じて、番組関連情報としてユーザに指定させるリンク情報取得ステップと、
前記指定画面を通じて指定された番組関連情報と、前記Ｗｅｂぺージ情報とを関連付けて記憶部に記憶する記憶ステップとを有し、
前記登録要求検知ステップがユーザからの登録要求を検知した場合、前記Ｗｅｂページ情報と前記番組関連情報とを関連づけて記憶するか、前記番組関連情報と関連づけずに前記Ｗｅｂページ情報を記憶するかを選択可能とする選択画面を表示する選択ステップをさらに有することを特徴とするＷｅｂ情報処理方法。
【請求項１０】
任意のＷｅｂページを閲覧するＷｅｂ表示手段を有するとともに放送受信が可能な情報処理装置であって、
Ｗｅｂページに関する第１の属性情報を取得する第１の取得手段と、
放送を受信するための受信部で受信したチャンネルまたは番組に関する第２の属性情報を取得する第２の取得手段と、
前記第２の取得手段で取得した少なくとも１つの属性情報に前記第１の取得手段で取得した第１の属性情報を関連づけて記憶部に格納する記憶手段と、
前記第１の取得手段で取得した第１の属性情報を前記第２の取得手段で取得される第２の属性情報と関連づけて記憶部に格納するか否かをユーザに選択させるための選択画面を表示する選択手段と、
を有することを特徴とする情報処理装置。
【請求項１１】
前記受信部で受信したチャンネルまたは番組を表示部に表示する放送表示手段と、
前記放送表示手段が表示するチャンネルまたは番組に関する属性情報を用いて前記記憶手段が記憶部に格納した情報を検索する検索手段と、を有し、
前記検索手段は、前記放送表示手段が表示するチャンネルまたは番組に関する属性情報に関連づけられた前記第１の属性情報の有無を検索することを特徴とする請求項１０に記載の情報処理装置。
【請求項１２】
前記検索手段の検索の結果、前記放送表示手段が表示するチャンネルまたは番組に関する属性情報に関連づけられた前記第１の属性情報が存在する場合、前記Ｗｅｂ表示手段は、前記第１の属性情報に基づいて前記第１の属性情報で特定されるＷｅｂページを前記表示部に表示することを特徴とする請求項１１に記載の情報処理装置。
【請求項１３】
前記第２の取得手段で取得した第２の属性情報と前記第１の属性情報とをユーザが任意に関連づけるための入力画面を有し、当該入力画面を介して入力された情報を前記記憶手段が前記記憶部に格納することを特徴とする請求項１０に記載の情報処理装置。
【請求項１４】
任意のＷｅｂページを閲覧するＷｅｂ表示部を有するとともに放送受信が可能な情報処理装置の制御方法であって、
Ｗｅｂページに関する第１の属性情報を取得する第１の取得工程と、
放送を受信するための受信部で受信したチャンネルまたは番組に関する第２の属性情報を取得する第２の取得工程と、
前記第２の取得工程で取得した少なくとも１つの属性情報に前記第１の取得工程で取得した第１の属性情報を関連づけて記憶部に格納する記憶工程と、
前記第１の取得工程で取得した第１の属性情報を前記第２の取得工程で取得される第２の属性情報と関連づけて記憶部に格納するか否かをユーザに選択させるための選択画面を表示する選択工程と、
を有することを特徴とする情報処理装置の制御方法。
【請求項１５】
前記受信部で受信したチャンネルまたは番組を表示部に表示することが可能な放送表示部が表示するチャンネルまたは番組に関する属性情報を用いて前記記憶部に格納した情報を検索する検索工程を有し、
前記検索工程では、前記放送表示部が表示するチャンネルまたは番組に関する属性情報に関連づけられた前記第１の属性情報の有無を検索することを特徴とする請求項１４に記載の情報処理装置の制御方法。
【請求項１６】
前記検索工程での検索の結果、前記放送表示部が表示するチャンネルまたは番組に関する属性情報に関連づけられた前記第１の属性情報が存在する場合、前記Ｗｅｂ表示部は、前記第１の属性情報に基づいて前記第１の属性情報で特定されるＷｅｂページを前記表示部に表示することを特徴とする請求項１５に記載の情報処理装置の制御方法。
【請求項１７】
前記第２の取得工程で取得した第２の属性情報と前記第１の属性情報とをユーザが任意に関連づけるための入力画面を表示する入力画面表示工程を有し、当該入力画面を介して入力された情報を前記記憶工程で前記記憶部に格納することを特徴とする請求項１４に記載の情報処理装置の制御方法。
【発明の詳細な説明】
【技術分野】
【０００１】
本発明は、任意のＷｅｂページを放送プログラム（以下、番組という）と関連付けて登録するためのＷｅｂ情報処理装置及びＷｅｂ情報処理方法、情報処理装置及び情報処理装置の制御方法に関する。
【背景技術】
【０００２】
近年、放送波を受信して映像や音声を出力する機能に加え、コンピュータネットワーク上のサーバへアクセスしてＷｅｂページ等を表示可能な受信装置やＰＣ等が市販されている。また、テレビ放送とデータ通信の融合について、放送事業者及び通信事業者の双方で様々が議論・提案がなされており、近い将来、視聴者が放送／通信の区別を意識することなく、両者を利用したサービスを享受するであろうことは、想像に難くない。
【０００３】
このような情勢から、放送プログラムの聴視と、例えばインターネットへの接続とを組み合わせたサービスを提供するための機能を有する受像機の検討がなされている。例えば、特許文献１には、ディジタルテレビ放送データの付随情報として伝送されたＵＲＬ情報を検出し、検出したＵＲＬ情報をＵＲＬデータベースに格納するディジタルテレビ受信装置が記載されている。特許文献１記載のディジタルテレビ受像機はまた、インターネットへの接続機能と、ＵＲＬデータベースに格納されたＵＲＬを一覧表示して、ユーザが指定したＵＲＬへ接続してＷｅｂページを表示する機能を備えている。
【０００４】
特許文献２には、放送番組を受信、表示しながら、その番組の放送波中に多重伝送されたＵＲＬ情報に基づいてインターネットへ接続し、Ｗｅｂページを番組と同時表示する受信装置を開示している。
【０００５】
特許文献３には、テレビ番組表データに含まれる番組に関連したインターネットのＵＲＬ情報を利用して、テレビ番組と連携してインターネットホームページを自動的にテレビ画面上に表示させる方法および装置が記載されている。
【０００６】
特許文献４には、テレビ放送に含まれる番組名データとＵＲＬや電子メールアドレスを関連付けて格納し、放送中に告知されたこれらの情報をいつでも見られるようにしたディジタルテレビ受信装置が記載されている。
【０００７】
また、特許文献５には、テレビ番組名などのＥＰＧ情報をブックマーク登録時に付加して記憶し、テレビ番組視聴中にＷｅｂページ閲覧を行う場合、視聴中番組のＥＰＧ情報で登録済ブックマークを検索する技術が開示されている。この特許文献５に開示の技術では、登録済ブックマークを検索した結果、該当するブックマークがある場合、そのＷｅｂページを自動的に表示する。
【０００８】
【特許文献１】特開２００３−３１９２７９号公報
【特許文献２】特開２００４−２３６４１号公報
【特許文献３】特開平１０−１７７５３２号公報
【特許文献４】特開２００４−１０４６４０号公報
【特許文献５】特開２００６−０４１８５６号公報
【発明の開示】
【発明が解決しようとする課題】
【０００９】
特許文献１に記載のディジタルテレビ受像機では、ＵＲＬ情報だけをＵＲＬデータベースに格納しているため、ＵＲＬ情報を番組に関連付けることができなかった。また、番組を試聴する側のユーザによって自由にＵＲＬ情報を設定することができなかった。
【００１０】
また、特許文献２に記載の受信装置は、テレビ放送波と多重伝送されたＵＲＬ情報や、番組中で表示又は音声出力されたＵＲＬ情報のみを取り扱っている。従って、放送局側が自らの放送する番組と予め関連付けたＵＲＬ情報しか取り扱うことができない。
【００１１】
また、特許文献３の受信装置では、番組と連携して表示されるホームページのＵＲＬ情報は、番組表データ送信者によって予めテレビ番組表データに組み込まれている。そのため、視聴者はテレビ番組表データに組み込まれていないＵＲＬ情報を持つホームページを番組と連携して表示させることができなかった。
【００１２】
さらに、特許文献４記載の受信装置は、番組中に告知されたＵＲＬや電子メールアドレスを登録するだけで、登録されたＵＲＬへアクセスする機能は提供しない。また、特許文献２、３と同様、番組中に告知された情報のみを登録するため、任意のＷｅｂページを登録することはできない。
【００１３】
現在、視聴者は視聴する番組とユーザ独自に選択したＷｅｂページ（以下、こうしたＷｅｂページを任意のＷｅｂページと称する）を関連づけ、当該番組の視聴時に任意のＷｅｂページへ簡単にアクセスしたいという要求を有している。
例えば、音楽番組を視聴する視聴者は音楽番組を試聴しながら出演者のファンが集うＷｅｂ掲示板へアクセスし、他のファンとＷｅｂ掲示板上で交流を持ちたいと考えている。
【００１４】
しかしながら、現在の環境では、放送局もしくは番組表データ送信事業者が予め選択及び設定した、固定的なＷｅｂページ、例えば、出演者の公式サイトや音楽番組の公式サイトのＵＲＬを視聴者に提供しているに過ぎない。即ち、上記の特許文献に開示された技術と同様の構成である。結果として、多種多様な視聴者独自の嗜好に沿ったＵＲＬ情報を提供しているとは言い難い。
【００１５】
仮に、放送局や番組表データ送信者が番組の送信前に全ての視聴者の要望に沿ったＷｅｂページを選択し、ＵＲＬ情報として番組とともに提供することが考えられる。しかし、膨大な数の視聴者毎の要望を予め特定することは困難である。さらに、視聴者の要望を考慮せずに任意のＷｅｂページを独自に設定することも考えられるが、莫大な数のＷｅｂページの中から関連づけるＷｅｂページを放送局などが選択するのは、現実には不可能である。従って、上述した特許文献に開示された技術では、視聴者の要望を実現する機能を提供することができていなかった。
【００１６】
その結果、視聴者は番組視聴中に手動によりＷｅｂブラウザを起動するとともに、任意のＷｅｂページを検索して表示させなければならなかった。もしくは、視聴者は事前に発見したＷｅｂページをＷｅｂブラウザのブックマーク機能で単にＷｅｂブラウザに登録しておき、番組の視聴中に登録されたＷｅｂページの中から所望のＷｅｂページを選択して表示させることが必要であった。これは視聴者にとって負担となる作業であるとともに、番組を試聴する際に表示したいＷｅｂページがどのＷｅｂページであるか、常に記憶しておかなければならず、視聴者に不便を強いるものである。
【００１７】
上述のような課題に対する一つの対応策が特許文献５には記載されている。しかしながら、特許文献５に開示の技術では、例えば、以下に記載するようないくつかの課題が存在している。
（１）Ｗｅｂページをブックマークに登録する際に関連づける情報は、視聴中のテレビ番組のＥＰＧ情報に限定されてしまう。即ち、番組と関連づけて保持しておきたいＷｅｂページを発見したとしても、該当する番組の放送時間に合わせて登録作業を実施しなければならない。また、任意に決定したキーワードと関連づけることができない。
（２）Ｗｅｂページをブックマーク処理する際、テレビ放送を受信し、表示していると、番組情報と関連づけてのブックマーク登録を要求されてしまう。即ち、番組情報と関連づけない一般的なブックマーク処理をしたい場合、テレビ番組の視聴を中止しなければならない。
（３）１つの番組情報に複数のＷｅｂページを関連づける場合の処理や、１つの番組情報に複数のＷｅｂページが関連づけられている場合の表示方法についての具体的な開示が無い。また、複数の番組情報に１つのＷｅｂページを関連づける場合の具体的処理が記載されていない。特許文献５に記載の技術を適用した場合、あるＷｅｂページを３種類の付加情報に対応付けると、ブックマークエントリとして、同一のＷｅｂページのエントリが３つ作成されることが考えられる。これは視聴者にとって大変不便である。
（４）番組の視聴以外に、番組に関連づけられたＷｅｂページを視聴者に通知する構成が無い。例えば、ＥＰＧなどの電子番組表で表示されている番組に好みのＷｅｂページを関連づけているかどうかを知ることができない。
【００１８】
本発明は、このような従来技術の課題に鑑みなされたものであり、従来技術に比して利便性が高く、任意のＷｅｂページ情報を番組と関連付けて登録可能なＷｅｂ情報処理装置及びＷｅｂ情報処理方法、情報処理装置及び情報処理装置の制御方法を提供することを目的とする。
【課題を解決するための手段】
【００１９】
上述の目的は、接続された表示装置にＷｅｂページを表示させる第１の表示手段と、ユーザの指示を受け付ける入力手段と、入力手段を通じて、ユーザから登録要求が入力されたことを検知する登録要求検知手段と、登録要求の検知に従って、第１の表示手段が表示中のＷｅｂページまたは予め登録されたＷｅｂページを特定するためのＷｅｂページ情報を取得するＷｅｂページ情報取得手段と、Ｗｅｂページを関連付けする番組関連情報をユーザに指定させる指定画面を表示装置に表示させる第２の表示手段と、指定画面を通じて指定された番組関連情報と、Ｗｅｂぺージ情報とを関連付けて記憶部に記憶する記憶手段とを有し、登録要求検知手段がユーザからの登録要求を検知した場合、Ｗｅｂページ情報と番組関連情報とを関連づけて記憶するか、番組関連情報と関連づけずにＷｅｂページ情報を記憶するかを選択可能とする選択画面を表示する選択手段をさらに有することを特徴とする本発明のＷｅｂ情報処理装置によって達成される。
【００２０】
また、上述の目的は、番組に関する情報に任意のＷｅｂページを関連付けて登録するＷｅｂページ情報処理方法であって、ユーザから登録要求が入力されたことを検知する登録要求検知ステップと、登録要求の検知に従って、表示装置に表示されていたＷｅｂページまたは、予め登録されたＷｅｂページを特定するためのＷｅｂページ情報を取得するＷｅｂページ情報取得ステップと、Ｗｅｂページを関連付けする番組に関する情報を、指定画面を通じて、番組関連情報としてユーザに指定させるリンク情報取得ステップと、指定画面を通じて指定された番組関連情報と、Ｗｅｂぺージ情報とを関連付けて記憶部に記憶する記憶ステップとを有し、登録要求検知ステップがユーザからの登録要求を検知した場合、Ｗｅｂページ情報と番組関連情報とを関連づけて記憶するか、番組関連情報と関連づけずにＷｅｂページ情報を記憶するかを選択可能とする選択画面を表示する選択ステップをさらに有することを特徴とする本発明のＷｅｂ情報処理方法によっても達成される。
【００２１】
また、上述の目的は、任意のＷｅｂページを閲覧するＷｅｂ表示手段を有するとともに放送受信が可能な情報処理装置であって、Ｗｅｂページに関する第１の属性情報を取得する第１の取得手段と、放送を受信するための受信部で受信したチャンネルまたは番組に関する第２の属性情報を取得する第２の取得手段と、前記第２の取得手段で取得した少なくとも１つの属性情報に前記第１の取得手段で取得した第１の属性情報を関連づけて記憶部に格納する記憶手段と、を有することを特徴とする本発明の情報処理装置によっても達成される。
【００２２】
また、上述の目的は、任意のＷｅｂページを閲覧するＷｅｂ表示部を有するとともに放送受信が可能な情報処理装置の制御方法であって、Ｗｅｂページに関する第１の属性情報を取得する第１の取得工程と、放送を受信するための受信部で受信したチャンネルまたは番組に関する第２の属性情報を取得する第２の取得工程と、前記第２の取得工程で取得した少なくとも１つの属性情報に前記第１の取得工程で取得した第１の属性情報を関連づけて記憶部に格納する記憶工程と、を有することを特徴とする本発明の情報処理装置の制御方法によっても達成される。
【発明の効果】
【００２３】
このような構成により、本発明によれば、任意のＷｅｂページ情報を番組と関連付けて登録可能となる。
【発明を実施するための最良の形態】
【００２４】
以下、図面を参照して、本発明をその好適な実施形態に基づき詳細に説明する。
＜第１実施形態＞
図１は、本発明の第１実施形態に係るＷｅｂ情報処理装置の一例としてのＷｅｂ情報登録装置の構成例を、図２は、本発明の第１の実施形態に係るＷｅｂ情報処理装置の別の一例としてのＷｅｂ情報表示装置の構成例をそれぞれ示す。
【００２５】
また、図４３は、本発明の第１実施形態に係るＷｅｂ情報処理装置のさらに別の一例として、図１のＷｅｂ情報登録装置と、図２のＷｅｂ情報表示装置とを１つの装置で実現するＷｅｂ情報登録表示装置の構成例を示す。図１、図２及び図４３において、同一の構成には同じ参照数字を付してある。
【００２６】
なお、以下では、便宜上、図４３の構成を有するＷｅｂ情報登録表示装置の一例としてのテレビ受像機に本発明を適用した場合を想定して説明を行なう。しかし、例えばＰＣである図１のＷｅｂ情報登録装置と、例えばテレビ受像機である図２のＷｅｂ情報表示装置とを接続した構成であっても、動作を行なう機能ブロックが存在する場所が異なることを除き、同一の処理を実現可能であることは言うまでもない。
【００２７】
以下の説明では、本実施形態のテレビ受像機は、リモコンを用いて操作するものとするが、受像機本体に設けられた図示しない操作部を操作しても同等の操作が可能である。
【００２８】
図３は、本実施形態のテレビ受像機で用いるリモコン２００の外観例を示す図である。なお、図３では、以下の説明に必要なボタンのみを示しており、実際には他のボタンが含まれていても良い。
【００２９】
電源ボタン２０１は、テレビ受像機１００の電源のＯＮ／ＯＦＦを指示するためのボタンである。
数字ボタン２０２は、選局や文字入力を行うためのボタンである。
閲覧ボタン２０３は、Ｗｅｂページの閲覧要求を行うためのボタンである。
【００３０】
ブックマークボタン２０４は、Ｗｅｂページの登録要求を行うためのボタンである。
選択／決定ボタン２０５は、カーソルボタン２０５ａ〜２０５ｄと決定ボタン２０５ｅで構成される。決定ボタン２０５ｅの周りに４つ配置されているカーソルボタン２０５ａ〜２０５ｄは、選択画面のフォーカス移動や、Ｗｅｂページのスクロールを行うためのボタンである。中心に１つ配置されている決定ボタン２０５ｅは、選択画面でフォーカスされている選択肢の選択を決定するためのボタンである。
【００３１】
電子番組表ボタン２０６は、電子番組表（以下、ＥＰＧと記す）を表示させるためのボタンである。
説明ボタン２０７は、番組説明を表示させるためのボタンである。
【００３２】
まず、図１を参照して、本実施形態のテレビ受像機１００におけるＷｅｂページ登録処理に関する構成について説明する。
本実施形態のテレビ受像機１００は、任意のＷｅｂページと任意の番組属性情報とを関連付けて登録することが可能である。番組属性情報とは、放送局などによって番組毎に付与されている各種の属性情報のことである。例えば、放送チャンネルや番組固有のＩＤの他、番組名や番組内容といったテキスト情報、番組のジャンルを特定するジャンル情報、出演者情報などが属性情報となる。もちろん、これら以外の情報であっても、番組に関連する情報は全て属性情報である。日本の放送規格を定めている電波産業会（ＡＲＩＢ）が発行している標準規格群のうち、ＡＲＩＢ  ＳＴＤ−Ｂ１０  ４．０版にはデジタル放送に使用する番組配列情報に関する標準規格が記載されている。この規格で定義されている番組配列情報に含まれる各種情報を本発明での番組属性情報として利用することができる。
【００３３】
なお、番組属性情報のうち、Ｗｅｂページに関連付けて登録する番組属性情報のことを、以下では「リンク対象情報」または「番組関連情報」と記す。第１実施形態では、リンク対象情報は番組を特定できる任意の情報とする。また、リンク対象情報と関連付けて登録する任意のＷｅｂページのことを「関連Ｗｅｂページ」と記し、リンク対象情報と関連Ｗｅｂページが関連付けられた情報のことを「関連Ｗｅｂページ情報」と記す。
【００３４】
図１において、ＴＶ受信部１０１は、受信した放送波から映像や音声を表示するキャリア（搬送波）を選択し、復調してＭＰＥＧ型式のトランスポートストリーム（以下、ＴＳと記す）を生成する。次に、生成されたＴＳを映像、音声、データ（付属情報）に分離する。そして、映像や音声はデコードしてモニタや音声出力部（図示せず）に出力し、データはＥＰＧの表示や番組検索が可能な形式の番組属性情報に変換し、番組属性情報保持部１０８に保存する。また、ＴＶ受信部１０１は、番組属性情報保持部１０８から取得する番組属性情報を基にＥＰＧや番組説明を表示したり、選局要求に基づく受信番組の切換を行ったりする。
【００３５】
入力手段としてのユーザインターフェース部１０２は、図３に示すリモコン２００からの指示データを受信し、受信した指示データの通知処理を行う。例えば、リモコン２００の数字ボタン２０２の押下による所定のチャンネルへの選局要求を受信した場合は、ＴＶ受信部１０１に選局要求を通知する。また、リモコン２００の閲覧ボタン２０３の押下によるＷｅｂページの閲覧要求を受信した場合は、Ｗｅｂブラウザ１０３にＷｅｂページの閲覧要求を通知する。また、リモコン２００のブックマークボタン２０４の押下による関連Ｗｅｂページの登録要求を受信した場合は、登録要求検出手段としてのブックマーク要求検知部１０４に関連Ｗｅｂページの登録要求を通知する。
【００３６】
第１の表示手段としてのＷｅｂブラウザ１０３は、ネットワーク３００を介してＷｅｂサーバから受信する、ＨＴＭＬ(HyperText Markup Language)等のマークアップ言語で記述されたＷｅｂページデータを基に、モニタ３１０にＷｅｂページの表示を行う。
【００３７】
ブックマーク要求検知部１０４は、ユーザインターフェース部１０２から関連Ｗｅｂページの登録要求が通知されたことを検知し、関連Ｗｅｂページ情報登録部１０５に対して関連Ｗｅｂページの登録要求があったことを通知する。
【００３８】
記憶手段としての関連Ｗｅｂページ情報登録部１０５は、ブックマーク要求検知部１０４からの関連Ｗｅｂページの登録要求通知に応答して、リンク対象情報と関連Ｗｅｂページ情報とを関連づけた関連Ｗｅｂページ情報を関連Ｗｅｂページ情報保持部１０９に登録する。詳細については、図４を参照して後述する。
【００３９】
Ｗｅｂページ情報取得部１０６は、Ｗｅｂブラウザ１０３から表示中のＷｅｂページのアドレスとタイトルを含む情報（以下、Ｗｅｂページ情報と記す）を取得して関連Ｗｅｂページ情報登録部１０５に送る。なお、Ｗｅｂページ情報取得部１０６が取得するＷｅｂページ情報はアドレス（ＵＲＬ）やタイトルのみに限定されるものではない。
【００４０】
リンク対象情報取得部１０７は、関連Ｗｅｂページ情報登録部１０５から取得要求のあったリンク対象情報を、番組属性情報保持部１０８から取得し、関連Ｗｅｂページ情報登録部１０５に送る。
【００４１】
番組属性情報保持部１０８は、ＴＶ受信部１０１から取得した番組属性情報を保持する。関連Ｗｅｂページ情報保持部１０９は、関連Ｗｅｂページ情報登録部１０５から取得した関連Ｗｅｂページ情報を保持する。
【００４２】
なお、図１、図２及び図４３に示した装置はＣＰＵなどの中央処理制御部１１０によって統括的な管理がなされるものとする。例えば、Ｗｅｂページ情報取得部１０６がＷｅｂページのアドレス（ＵＲＬ）とタイトル情報等を取得し、関連Ｗｅｂページ情報登録部１０５に送信する処理は制御部１１０によって制御される。また、これらの図の各機能部はハードウェアとして実現することも可能であるし、ソフトウェアで実行可能なように構成することも可能である。
【００４３】
（Ｗｅｂページ情報の登録処理）
関連Ｗｅｂページ情報登録部１０５における関連Ｗｅｂページ情報の登録処理の流れを図４のフローチャートを用いて説明する。特に明示しない限り、本フローチャートの各ステップは制御部１１０によって制御されるものとする。
関連Ｗｅｂページ情報の登録処理は、リモコン２００のブックマークボタン２０４の押下が、ユーザインターフェース部１０２及びブックマーク要求検知部１０４を介して関連Ｗｅｂページ情報登録部１０５に通知されると開始される。
【００４４】
ここで、例えばＷｅｂブラウザ１０３により、モニタ３１０に図７に示すようなＷｅｂページが表示されているものとする。このＷｅｂページは、例えばユーザがリモコン２００を用いてアドレスを指定したり、Ｗｅｂページ中のハイパーリンクをクリックしたりするなど、一般的なＷｅｂページブラウズ操作により表示されている。
【００４５】
例えば、ユーザは、本実施形態のＴＶ受像機１００が提供するＷｅｂブラウザ機能を用い、所望のＷｅｂページが表示された状態で、リモコン２００のブックマークボタン２０４を押下することで、表示中のＷｅｂページを任意の番組と関連付けて登録可能である。
まず、図４のステップＳ１１で、Ｗｅｂページ情報登録部１０５はモニタ３１０に表示中のＷｅｂページのＷｅｂページ情報をＷｅｂページ情報取得部１０６から取得する。
【００４６】
ステップＳ１２では、制御部１１０は図８に示すようなＷｅｂページ登録方法の選択画面８１０を表示する。本実施形態では、Ｗｅｂページの登録方法を「番組属性情報に関連付けてＷｅｂページを登録する」方法と「番組属性情報に関連付けないでＷｅｂページを登録する（通常登録）」方法のいずれかにより選択するものとする。
【００４７】
続いて、ステップＳ１３では、選択画面８１０により選択、決定されたＷｅｂページ登録方法を判定する。ステップＳ１３において、「番組属性情報に関連付けてＷｅｂページを登録する」が選択された場合はステップＳ１４に進み、「番組属性情報に関連付けないでＷｅｂページを登録する（通常登録）」が選択された場合はステップＳ２２に進む。
【００４８】
ステップＳ２２では、Ｗｅｂブラウザ１０３のブックマーク機能を適用して、Ｗｅｂページのアドレスやタイトル情報等のＷｅｂページの閲覧に必要な情報のみを登録する。ステップＳ２２のＷｅｂページの通常登録処理が終了したら、一連のＷｅｂページ登録処理を終了する。
【００４９】
ステップＳ１４では、第２の表示手段としての機能を有する制御部１１０が図９に示すようなリンク対象情報設定方法の選択画面９１０をＷｅｂページ上に表示する。本実施形態では、Ｗｅｂページに関連付ける番組を「番組の一覧から選択する」方法と「文字入力により番組名を入力する」方法とのいずれかにより選択するものとする。
【００５０】
ステップＳ１５では、選択画面９１０により選択、決定されたリンク対象情報設定方法に基づき処理を分ける。「番組の一覧から選択する」が選択された場合はステップＳ１６に進み、「文字入力により番組名を入力する」が選択された場合は、ステップＳ１８に進む。
【００５１】
ステップＳ１６では、制御部１１０が番組属性情報保持部１０８より取得した情報に基づき、図１０に示すようにＥＰＧのような番組一覧画面１０１０を表示する。図１０に示す番組一覧画面では、番組単位でフォーカスを移動することが可能であり、ユーザは、リモコン２００のカーソルボタン２０５ａ〜２０５ｄを用いて所望の番組を選択し、決定ボタン２０５ｅにより番組を指定することができる。
【００５２】
ステップＳ１７では、関連Ｗｅｂページ情報登録部１０５はステップＳ１６でＷｅｂページに関連付ける番組がユーザによって指定されたか否かを判定する。指定された場合にはステップＳ２０に進み、指定されていない場合にはステップＳ１６に戻る。
【００５３】
ステップＳ１８では、制御部１１０が図１１に示すような番組名入力画面１１１０を表示する。図１１に示す番組名入力画面１１１０では、文字入力領域３０１にＷｅｂページに関連付ける番組の番組名を入力することができる。文字入力方法に制限はないが、画面に別途ソフトキーボード画面を表示しても良いし、リモコン２００の数字キー２０２を用い、携帯電話で文字入力を行うための方法を用いて入力するようにしても良い。なお、図３においては、文字種変更ボタンや仮名漢字変換ボタン等を図示していないが、例えばカーソルボタン２０５ａ〜２０５ｄや決定ボタン２０５ｅにそれらの機能を持たせることができる。
ユーザは、番組名の入力が終了したら、画面上の決定ボタン３０２にフォーカスを移動し、決定ボタン２０５ｅを押下する。
【００５４】
ステップＳ１９では、関連Ｗｅｂページ情報登録部１０５がステップＳ１８でＷｅｂページに関連付ける番組の番組名が決定されたか否かを判定する。入力されたと判定するとステップＳ２０に進み、入力されないと判定するとステップＳ１８に戻る。
【００５５】
ステップＳ２０では、関連Ｗｅｂページ情報登録部１０５はＷｅｂページに関連付けるリンク対象情報をリンク対象情報取得部１０７から取得する。リンク対象情報設定方法としては、ステップＳ１５で「番組の一覧から選択する」が選択された場合はリンク対象情報取得部１０７から番組を特定するＩＤを取得する。一方、「文字入力により番組名を入力する」を選択した場合はステップＳ１８で入力された文字列を取得する。
ステップＳ２１では、関連Ｗｅｂページ情報登録部１０５はステップＳ１３で取得したＷｅｂページ情報と、ステップＳ２０で取得したリンク対象情報とを関連付けて、関連Ｗｅｂページ情報保持部１０９に登録する。
【００５６】
図１３に、関連Ｗｅｂページ情報保持部１０９で保持する関連Ｗｅｂページ情報の具体例を示す。図１３に示す関連Ｗｅｂページ情報は、大きく分けてＷｅｂページ情報とリンク対象情報の２つを含むルックアップテーブル形式となっている。Ｗｅｂページ情報はＷｅｂページのアドレスとＷｅｂページのタイトルを含み、リンク対象情報はリンク対象の種類、フォーマット、内容を含む。本実施形態では、リンク対象の種類は「番組」となる。フォーマットとは、リンク対象の内容のフォーマットを示すものである。図１３の例では、リンク対象の内容が「０ｘＤＥ」のような番組を特定するＩＤの場合は、フォーマットは「ＩＤ」となる。また、リンク対象の内容がステップＳ１６で入力された「ＳＮＡＰ×ＳＮＡＰ」のような番組名（文字列）の場合は、フォーマットは「テキスト」となる。
【００５７】
次に、図２を参照して、本実施形態のテレビ受像機における表示処理について説明する。なお、図２において、図１と同じ機能ブロックは図１と同じ参照数字を付し、重複する説明を省略する。
番組状態検知部１１１は、ＴＶ受信部１０１で受信中の番組の状態を監視し、現在受信中の番組を検知する。そして、受信中の番組を特定する情報を関連Ｗｅｂページ検索部１１２に通知する。
【００５８】
関連Ｗｅｂページ検索部１１２は、番組状態検知部１１１から通知された番組を特定する情報に基づいて、番組属性情報保持部１０８から受信番組の番組属性情報を取得する。そして、取得した番組属性情報に基づいて、関連Ｗｅｂページ情報保持部１０９に保持された関連Ｗｅｂページ情報内に受信中の番組に関連づけられたＷｅｂページが存在しているか否かを検索する。詳細については、図５を参照して後述する。
【００５９】
関連Ｗｅｂページ通知・表示部１１３は、関連Ｗｅｂページ検索部１１２により、受信番組に関連づけられた関連Ｗｅｂページが存在すると判定された場合、その関連ＷｅｂページにＷｅｂブラウザ１０３を介してアクセスし、モニタ３１０に表示する。詳細については、図６を参照して後述する。
【００６０】
ここで、関連Ｗｅｂページ検索部１１２における、関連Ｗｅｂページの検索処理の流れを図５のフローチャートを用いて説明する。特に明示しない限り、本フローチャートの各ステップは制御部１１０によって制御されるものとする。
関連Ｗｅｂページの検索処理は、テレビ視聴開始時や、選局処理が発生した際に実行する。なお、特に明示しない限り、本フローチャートの各ステップは制御部によって制御されるものとする。
【００６１】
ステップＳ２３では、関連Ｗｅｂページ検索部１１２が番組状態検出部１１１から受信中の番組を特定する情報を取得する。
ステップＳ２４では、関連Ｗｅｂページ検索部１１２が番組属性情報保持部１０８から受信中の番組の番組属性情報を取得する。
ステップＳ２５では、関連Ｗｅｂページ検索部１１２が関連Ｗｅｂページ情報保持部１０９から関連Ｗｅｂページ情報を取得する。関連Ｗｅｂページ情報は図１３を用いて説明したテーブル形式の情報である。なお、必ずしも関連Ｗｅｂページ検索部１１２が関連Ｗｅｂページ情報を取得する必要はない。関連Ｗｅｂページ情報は不図示の記憶媒体に格納されている情報であるので、当該記憶媒体にアクセスすることでも後述する関連Ｗｅｂページの検索処理が実行できるためである。
【００６２】
ステップＳ２６では、制御部１１０は番組属性情報保持部１０８が取得した受信中の番組の番組属性情報を用いて関連Ｗｅｂページ情報に含まれるリンク対象情報を検索する。
ステップＳ２７では、ステップＳ２６の検索結果から受信中の番組に関連Ｗｅｂページが設定されているか否かを判定する。受信中の番組に関連Ｗｅｂページが設定されているか否かは、取得した番組属性情報に該当するリンク対象情報が存在するか否かを判定することで実現できる。該当するリンク対象情報が存在すると判定した場合はステップＳ２９に進み、存在しないと判定した場合はステップＳ２８に進む。
【００６３】
ステップＳ２８では、関連Ｗｅｂページ情報保持部１０９に保持されている全ての関連Ｗｅｂページ情報に対して検索が終了したか否かを判定する。終了しないと判定した場合はステップＳ２６に戻り、終了したと判定した場合は関連Ｗｅｂページの検索処理を終了する。ステップＳ２９では、検索結果として受信中の番組の関連Ｗｅｂページ情報を保持する。
【００６４】
次に、関連Ｗｅｂページ通知・表示部１１３における、関連Ｗｅｂページの通知・表示処理の流れを図６のフローチャートを用いて説明する。
関連Ｗｅｂページの通知・表示処理は、受信中の番組に関連Ｗｅｂページが存在する際に実行される。
ステップＳ３１では、関連Ｗｅｂページ通知・表示部１１３が図５のステップＳ２７において関連Ｗｅｂページ検索部１１２が保持した関連Ｗｅｂページ情報を取得する。
【００６５】
ステップＳ３２では、図１４に示す通知ダイアログ３０３のように、受信中の番組に関連づけられて登録されていた任意のＷｅｂページが存在する旨の通知を、例えば番組の画像に重ねてモニタ３１０に表示する。なお、関連Ｗｅｂページが存在する旨の通知として、図１５（ａ）〜図１５（ｄ）に示すような情報を表示しても良い。図１５の（ａ）の例では、アイコンを表示している。図１５の（ｂ）の例では、「チケット情報」のようなＷｅｂページのタイトルを表示している。なお、図４のステップＳ２０とＳ２１の間に図１２に示すようなＷｅｂページのタイトルの編集画面を表示し、関連Ｗｅｂページ情報に含まれるＷｅｂページのタイトル編集をユーザに許可することができる。この場合、図１５の（ｂ）で表示されるＷｅｂページのタイトルが編集後のタイトルとなる。図１５の（ｃ）の例では、「ｈｔｔｐ：／／ｗｗｗ．ｔｉｃｋｅｔ−ｉｎｆｏ．ｃｏ．ｊｐ／」のようなＷｅｂページのアドレス情報（ＵＲＬ）を表示している。図１５の（ｄ）の例では、「番組『ミュージックステージ』関連」のようなリンク対象情報の内容を表示している。
【００６６】
ステップＳ３３では、関連Ｗｅｂページ通知・表示部１１３はユーザインターフェース部１０２から関連Ｗｅｂページの閲覧要求が入力されるか否かを判定する。要求が入力されたと判定した場合はステップＳ３４に進み、要求が入力されていないと判定した場合はステップＳ３２に戻る。
【００６７】
ステップＳ３４では、関連Ｗｅｂページ通知・表示部１１３はユーザが関連Ｗｅｂページの閲覧要求を入力した場合、ＷｅｂページをＷｅｂブラウザ１０３を介して表示する処理を実行する。具体的には、関連Ｗｅｂページ情報内に含まれるＷｅｂページのアドレス情報をＷｅｂブラウザ１０３に送信して関連Ｗｅｂページの表示を要求する。Ｗｅｂページのアドレス情報を入力されたＷｅｂブラウザ１０３は当該アドレス情報で指定されたＷｅｂサーバへアクセスするとともに、取得したＨＴＭＬファイルを元に描画したＷｅｂページをユーザが視認可能なようにモニタ３１０に表示する。なお、関連Ｗｅｂページ情報の表示は、図７に示すようにモニタ３１０の全画面を用いて表示しても、図１７に示すように番組とは別のウインドウに表示するようにしてもよい。
【００６８】
また、Ｓ３４で関連Ｗｅｂページの表示を実行する前に、図１６に示すような確認画面を表示し、ユーザの承認を得てから関連Ｗｅｂページを表示するように構成しても良い。さらに、上述した表示処理はユーザに関連Ｗｅｂページの存在を通知した上で、ユーザからのＷｅｂページ表示指示の入力を以てＷｅｂページの表示を行っていたが、関連Ｗｅｂページが存在する場合は自動的に表示するように構成してもよい。
【００６９】
以上説明したように、第１実施形態によれば、ユーザは、所望のＷｅｂページを、所望の番組に関連付けて登録することが可能である。また、視聴中の番組に関連付けされたＷｅｂページがある場合にはその旨をユーザに通知したり、自動的に表示したりする。そのため、ユーザは、番組と連携して登録した関連Ｗｅｂページの存在を忘れることがない上、簡単な操作で関連Ｗｅｂページを表示できる。
また、Ｗｅｂページの登録方法を「番組属性情報に関連付けてＷｅｂページを登録する」方法と「番組属性情報に関連付けないでＷｅｂページを登録する（通常登録）」方法から選択できるようにすることで、ユーザの要望に適したＷｅｂページの登録（ブックマーク）方法を提供することができる。
【００７０】
＜第２実施形態＞
第１実施形態ではリンク対象の種類が番組（番組を特定可能な情報）である場合について説明したが、第２実施形態ではリンク対象の種類がキーワード、又は、出演者である場合について説明する。本実施形態におけるＴＶ受像機の構成は図１、図２で説明した通りでよいため、説明を省略し、以下、本実施形態に特徴的な動作についてのみ説明する。
【００７１】
関連Ｗｅｂページ情報登録部１０５における関連Ｗｅｂページ情報の登録処理の流れを図１８のフローチャートを用いて説明する。
ステップＳ４１では、図４のステップＳ１１と同じ処理を行う。
【００７２】
ステップＳ４２では、制御部１１０が図１９（ａ）又は図１９（ｂ）に示すようなリンク対象情報設定方法の選択画面を表示する。図１９（ａ）は、Ｗｅｂページを関連付けるリンク対象を「キーワードの一覧から選択する」方法又は「文字入力によりキーワードを入力する」方法のいずれかとする際の選択画面である。また、図１９（ｂ）は、Ｗｅｂページに関連付けるリンク対象を「出演者名の一覧から選択する」方法と又は「文字入力により出演者名を入力する」方法のいずれかとする際の選択画面である。ステップＳ４２においてこれら選択画面のいずれを表示するかは、ユーザが設定可能に構成することができる。もちろん、図１９（ａ）の選択画面と、図１９（ｂ）の選択画面とを、その場で切り替えて表示可能に構成することも可能である。また、図４に示したステップＳ１２からステップＳ１３をステップＳ４２の画面表示の前に実行してもよい。
【００７３】
ステップＳ４３では、ステップＳ４２で選択されたリンク対象情報設定方法に基づき処理を分ける。「キーワードの一覧から選択する」方法又は「出演者名の一覧から選択する」方法が選択された場合はステップＳ４４に進む。また、「文字入力によりキーワードを入力する」方法又は「文字入力により出演者名を入力する」方法が選択された場合は、ステップＳ４６に進む。
【００７４】
ステップＳ４４では、制御部１１０が図２０（ａ）に示すようなキーワード一覧画面、又は、図２０（ｂ）に示すような出演者名一覧画面を表示する。図２０（ａ）及び図２０（ｂ）に示すキーワード一覧画面、又は、出演者名一覧画面で、ユーザは、所定のキーワード、又は、出演者名にフォーカスを移動し、Ｗｅｂページに関連付けるキーワード、又は、出演者名として選択する。
【００７５】
なお、フォーカスの移動は図３に示したリモコン２００のカーソルボタン２０５ａ〜２０５ｄにより行い、選択はリモコン２００の決定ボタン２０５ｅにより行う。キーワード一覧画面、又は、出演者名一覧画面で選択肢として表示するキーワード又は出演者名は、予めＷｅｂページ登録装置１００に保持、番組属性情報から抽出、ユーザにより予め登録などによって装置内に用意される。
【００７６】
ステップＳ４５では、関連Ｗｅｂページ情報登録部１０５がステップＳ４４でＷｅｂページを関連付けるキーワード、又は、出演者名が選択されたか否かを判定する。選択されたと判定するとステップＳ４８に進み、選択されないと判定するとステップＳ４４に戻る。
【００７７】
ステップＳ４６では、制御部１１０が図２１（ａ）に示すようなキーワード入力画面、又は、図２１（ｂ）に示すような出演者名入力画面を表示する。図２１（ａ）及び図２１（ｂ）に示すキーワード入力画面、又は、出演者名入力画面で、ユーザは、文字入力領域にＷｅｂページを関連付けるキーワード、又は、出演者名を入力することができる。キーワード、又は、出演者名の入力が終了したら、ユーザは、カーソルボタン２０５ａ〜２０５ｄで画面上の決定ボタンにフォーカスを移動し、決定ボタン２０５ｅで選択する。
【００７８】
ステップＳ４７では、関連Ｗｅｂページ情報登録部１０５がステップＳ４６でＷｅｂページを関連付けるキーワード、又は、出演者名が決定されたか否かを判定する。決定されたと判定するとステップＳ４８に進み、決定されていないと判定するとステップＳ４６に戻る。
ステップＳ４８では、リンク対象情報として文字入力されたキーワード、又は、出演者名の文字列を任意の記憶部に記憶する。
【００７９】
ステップＳ４９では、関連Ｗｅｂページ情報登録部１０５はステップＳ４８で記憶した文字列とステップＳ４１で取得したＷｅｂページ情報とを関連づけた関連Ｗｅｂページ情報を生成する。関連Ｗｅｂページ情報は図２２に示すようなテーブル形式のデータである。そして、この関連Ｗｅｂページ情報を関連Ｗｅｂページ情報保持部１０９に登録する。図２２の例では、リンク対象の種類は「キーワード」、又は、「出演者」であり、リンク対象のフォーマットは「テキスト」である。
【００８０】
このように、第２実施形態によれば、ユーザは、所望のＷｅｂページを、所望のキーワード又は出演者名に関連付けて登録することが可能である。そのため、ユーザは、番組の視聴中にキーワード又は出演者名と連携して閲覧したい関連Ｗｅｂページの存在を知ることができ、且つ、簡単な操作で関連Ｗｅｂページを表示できる。
【００８１】
なお、第２実施形態で登録した関連Ｗｅｂページ情報を用いたＷｅｂページの表示方法は、上述した第１実施形態の表示処理フローと同様の処理となる。第２実施形態が第１実施形態と異なるのは、番組のＩＤや番組名に基づいて関連づけられたＷｅｂページを検索し、表示するのではなく、ユーザが視聴している番組の出演者やキーワードといった属性情報を取得し、当該属性情報を用いて関連づけられたＷｅｂページを検索し、表示する点である。
【００８２】
＜第３実施形態＞
第１実施形態ではリンク対象の種類が番組である場合について説明したが、第３実施形態ではリンク対象の種類がジャンル、又は、チャンネルである場合について説明する。
【００８３】
関連Ｗｅｂページ情報登録部１０５における関連Ｗｅｂページ情報の登録処理の流れを図２３のフローチャートを用いて説明する。
ステップＳ５１は、図４のステップＳ１１と同じ処理を行う。
【００８４】
ステップＳ５２では、制御部１１０が図２４（ａ）及び図２４（ｂ）に示すようなジャンル一覧画面、又は、チャンネル一覧画面を表示する。図２４（ａ）及び図２４（ｂ）に示すジャンル一覧画面、又は、チャンネル一覧画面で、ユーザは、所定のジャンル、又は、チャンネルにフォーカスを移動し、Ｗｅｂページに関連付けるジャンル、又は、チャンネルとして選択する。また、図４に示したステップＳ１２からステップＳ１３をステップＳ５２の画面表示の前に実行してもよい。
【００８５】
なお、フォーカスの移動は図３に示したリモコン２００のカーソルボタン２０５ａ〜２０５ｄにより行い、選択はリモコン２００の決定ボタン２０５ｅにより行う。ジャンル一覧画面、又は、チャンネル一覧画面で選択肢として表示するジャンル、又は、チャンネルは、予めＷｅｂページ登録装置１００に保持、番組属性情報から抽出、などによって装置内に用意される。
【００８６】
ステップＳ５３では、Ｗｅｂページ情報登録部１０５はステップＳ５２でＷｅｂページに関連付けるジャンル、又は、チャンネルが選択されたか否かを判定する。選択されたと判定するとステップＳ５４に進み、選択されていないと判定するとステップＳ５２に戻る。
ステップＳ５４では、関連Ｗｅｂページ情報登録部１０５はリンク対象情報としてジャンル、又は、チャンネルを特定するＩＤをリンク対象情報取得部１０７より取得する。なお、ジャンルやチャンネルを特定するＩＤは番組属性情報保持部１０８が番組属性から取得したＩＤである。従って、ジャンル一覧画面やチャンネル一覧画面に表示する情報は番組属性情報保持部１０８が保持している情報に基づいて生成することができる。そのほか、ジャンルやチャンネルを特定するＩＤが放送規格によって定められている場合は、予め装置１００内にＩＤを保持しておくことで、番組属性情報から取得しなくても同様の処理が実現可能である。
【００８７】
ステップＳ５５では、関連Ｗｅｂページ情報登録部１０５はステップＳ５４で取得したＩＤとステップＳ５１で取得したＷｅｂページ情報とを関連づけた関連Ｗｅｂページ情報を生成する。関連Ｗｅｂページ情報は図２５に示すようなテーブル形式のデータである。そして、この関連Ｗｅｂページ情報を関連Ｗｅｂページ情報保持部１０９に登録する。図２５の例では、リンク対象の種類は「ジャンル」、又は、「チャンネル」であり、リンク対象のフォーマットは「ＩＤ」である。
【００８８】
このように、第３実施形態によれば、ユーザは、所望のＷｅｂページを、所望のジャンル又はチャンネルに関連付けて登録することが可能である。そのため、ユーザは、番組の視聴中にジャンル又はチャンネルと連携して閲覧したい関連Ｗｅｂページの存在を知ることができ、且つ、簡単な操作で関連Ｗｅｂページを表示できる。
【００８９】
なお、第３実施形態で登録した関連Ｗｅｂページ情報を用いたＷｅｂページの表示方法は上述した第１実施形態の表示処理フローと同様の処理となる。第３実施形態が第１実施形態と異なるのは、ユーザが視聴している番組のジャンルやチャンネルといった属性情報を取得し、当該属性情報を用いて関連づけられたＷｅｂページを検索し、表示する点である。
【００９０】
＜第４実施形態＞
第１〜３実施形態ではＷｅｂページに関連付けるリンク対象情報が、番組の場合、キーワード又は出演者の場合、ジャンル又はチャンネルの場合についてそれぞれ説明した。第４実施形態では、リンク対象情報が第１〜第３実施形態の組み合わせ（番組、キーワード、出演者、ジャンル、チャンネル）である場合について説明する。
【００９１】
関連Ｗｅｂページ情報登録部１０５における関連Ｗｅｂページ情報の登録処理の流れを図２６のフローチャートを用いて説明する。
ステップＳ６１は、ステップＳ１１と同じ処理を行う。
ステップＳ６２では、制御部１１０が図２７に示すようなリンク対象情報の設定画面を表示する。また、図４に示したステップＳ１２からステップＳ１３をステップＳ６２の画面表示の前に実行してもよい。
【００９２】
ステップＳ６３では、関連Ｗｅｂページ情報登録部１０５はステップＳ６２で表示したリンク対象情報の設定画面で選択領域３０４に表示するリンク対象の種類の中から、Ｗｅｂページに関連付けるリンク対象の種類をユーザが選択するのを待つ。ユーザはリンク対象の種類の選択を、リモコン２００のカーソルボタン２０５ａ〜２０５ｄ及び決定ボタン２０５ｅを用いて行う。
【００９３】
ステップＳ６４〜Ｓ６６では、ステップＳ６３で選択されたリンク対象の種類を判定する。
ステップＳ６４では、関連Ｗｅｂページ情報登録部１０５は選択されたリンク対象の種類が番組であるか否かを判定する。選択されたリンク対象の種類が番組と判定した場合はステップＳ６７に進み、番組ではないと判定した場合はステップＳ６５に進む。
【００９４】
ステップＳ６５では、関連Ｗｅｂページ情報登録部１０５は選択されたリンク対象の種類がキーワード、又は、出演者であるか否かを判定する。選択されたリンク対象の種類がキーワード、又は、出演者と判定した場合はステップＳ６８に進み、キーワード、又は、出演者ではないと判定した場合はステップＳ６６に進む。
【００９５】
ステップＳ６６では、関連Ｗｅｂページ情報登録部１０５は選択されたリンク対象の種類がジャンル、又は、チャンネルであるか否かを判定する。選択されたリンク対象の種類がジャンル、又は、チャンネルと判定した場合はステップＳ６９に進み、ジャンル、又は、チャンネルではないと判定した場合はステップＳ７０に進む。
【００９６】
ステップＳ６７では、関連Ｗｅｂページ情報登録部１０５はリンク対象情報として番組を設定する処理を行う。この処理は、図４のステップＳ１２〜Ｓ１９と同じ処理を行う。
ステップＳ６８では、関連Ｗｅｂページ情報登録部１０５はリンク対象情報としてキーワード、又は、出演者を設定する処理を行う。この処理は、図１８のステップＳ４２〜Ｓ４７と同じ処理を行う。
【００９７】
ステップＳ６９では、関連Ｗｅｂページ情報登録部１０５はリンク対象情報としてジャンル、又は、チャンネルを設定する処理を行う。この処理は、図２３のステップＳ５２〜Ｓ５３と同じ処理を行う。
なお、ステップＳ６７〜Ｓ６９では、図２７の設定領域３０５に、リンク対象情報の設定画面を表示する。図２７では、リンク対象の種類として「ジャンル」が選択されているので、設定領域３０５には設定可能なジャンルの種別情報を表示する。ユーザはこの設定領域３０５に表示されたジャンルの種別から任意のジャンルを選択することができる。
【００９８】
ステップＳ７０では、関連Ｗｅｂページ情報登録部１０５はリンク対象情報の設定の終了要求があるか否かを判定する。終了要求があると判定した場合はステップＳ７１に進み、終了要求がないと判定した場合はステップＳ６２に戻り、リンク対象情報の設定処理を繰り返す。
【００９９】
ステップＳ７１では、関連Ｗｅｂページ情報登録部１０５は設定されたリンク対象情報が１つ以上あるか否かを判定する。１つ以上あると判定した場合はステップＳ７２に進み、１つもないと判定した場合は関連Ｗｅｂページ情報の登録処理を終了する。
【０１００】
ステップＳ７２では、関連Ｗｅｂページ情報登録部１０５は各々のリンク対象の種類に合わせたリンク対象情報を取得する。リンク対象の種類が番組の場合は、番組を特定するＩＤをリンク対象情報取得部１０７から取得するか、番組名を表す文字例を記憶する。リンク対象の種類がキーワード、又は、出演者名の場合は、キーワード、又は、出演者名を表す文字列を記憶する。リンク対象の種類がジャンル、又は、チャンネルの場合は、ジャンル、又は、チャンネルを特定するＩＤをリンク対象情報取得部１０７から取得する。
【０１０１】
ステップＳ７３では、関連Ｗｅｂページ情報登録部１０５はステップＳ７２で取得した情報とステップＳ７１で取得したＷｅｂページ情報とを関連づけた関連Ｗｅｂページ情報を生成する。関連Ｗｅｂページ情報は図２８に示すようなテーブル形式のデータである。そして、この関連Ｗｅｂページ情報を関連Ｗｅｂページ情報保持部１０９で保持する。図２８の例では、アドレスが「ｈｔｔｐ：／／ｗｗｗ．ｔｉｃｋｅｔ−ｉｎｆｏ．ｃｏ．ｊｐ／」であるＷｅｂページに対して、リンク対象の種類が番組、キーワード、出演者の３つのリンク対象情報を関連付けている。これにより、設定された３つのリンク対象情報のいずれかに合致する番組であれば、関連づけたＷｅｂページを閲覧することが可能となる。
【０１０２】
このように、第４実施形態によれば、ユーザは、所望の１つのＷｅｂページを、所望の番組、キーワード、出演者名、ジャンル、チャンネルのうち、複数のリンク対象情報に関連付けて登録することが可能である。
【０１０３】
なお、第４実施形態で登録した関連Ｗｅｂページ情報を用いたＷｅｂページの表示方法は上述した第１実施形態の表示処理フローと同様の処理となる。また、第２実施形態や第３実施形態と同様に、ユーザが視聴している番組のチャンネルや出演者、キーワード、ジャンルといった各種の属性情報に基づいて、関連Ｗｅｂページを表示する。
【０１０４】
＜第５実施形態＞
第１〜４実施形態では、閲覧中（モニタ３１０に表示中）のＷｅｂページを、関連Ｗｅｂページとして設定する場合について説明した。第５実施形態では、事前に登録されたＷｅｂページの一覧から選択されたＷｅｂページを関連Ｗｅｂページとして設定する場合について説明する。
【０１０５】
図２９は、本実施形態に係るテレビ受像機における、Ｗｅｂページ登録処理に係る構成例を示すブロック図である。即ち、本実施形態に係るＷｅｂ情報登録装置の構成例を示すブロック図でもある。図２９において、第１実施形態で説明した図１と同じ機能を有するブロックには図１と同じ番号を付し、説明を省略する。図１と図２９との比較から明らかなように、本実施形態のテレビ受像機では、登録Ｗｅｂページリスト表示部１１４と、Ｗｅｂページ情報保持部１１５とが第１実施形態のテレビ受像機に加えられている。
【０１０６】
登録Ｗｅｂページリスト表示部１１４は、Ｗｅｂページ情報保持部１１５に保持されているＷｅｂページ情報を基に、図３１に示すような登録されているＷｅｂページの一覧画面をモニタ３１０に表示する。
Ｗｅｂページ情報保持部１１５は、Ｗｅｂブラウザ１０３から取得したＷｅｂページ情報を基に、予めユーザによって登録されたＷｅｂページ情報を保持する。
【０１０７】
関連Ｗｅｂページ情報登録部１０５における関連Ｗｅｂページ情報の登録処理の流れを図３０のフローチャートを用いて説明する。
関連Ｗｅｂページ情報の登録処理は、登録Ｗｅｂページリスト表示部１１４によって図３１に示すような登録されたＷｅｂページの一覧画面が表示されている時に、ユーザによりリモコン２００のブックマークボタン２０４が押下され、図３２に示すような選択画面をモニタ３１０に表示された状態から開始する。
【０１０８】
ステップＳ８１では、関連Ｗｅｂページ情報登録部１０５は、ユーザが図３２の画面中の選択領域３０７に表示するＷｅｂページのタイトルの一覧から、リンク対象情報に関連付けるＷｅｂページを選択するのを待つ。ユーザは、選択領域３０７に表示するＷｅｂページのタイトルにフォーカスを移動して選択することで、関連Ｗｅｂページとして設定することができる。ユーザは、関連Ｗｅｂページとして設定するＷｅｂページの選択が終了したら、画面上の決定ボタン３０８にフォーカスを移動し、選択する。
【０１０９】
ステップＳ８２では、関連Ｗｅｂページ情報登録部１０５はステップＳ８１でＷｅｂページの選択が決定したか否かを判定する。決定ボタン３０８が押下されたと判定した場合はステップＳ８３に進み、押下されていないと判定した場合はステップＳ８１に戻る。
【０１１０】
ステップＳ８３では、関連Ｗｅｂページ情報登録部１０５はステップＳ８１でユーザによって選択されたＷｅｂページのＷｅｂページ情報をＷｅｂページ情報取得部１０６から取得する。Ｗｅｂページ情報取得部１０６はＷｅｂページ情報保持部１１５からＷｅｂページ情報を取得している。
ステップＳ８４〜Ｓ９４は、上述した第４実施形態で説明した図２６のステップＳ６２〜Ｓ７２と同じ処理を行うので説明を省略する。
【０１１１】
ステップＳ９５では、関連Ｗｅｂページ情報登録部１０５はステップＳ９４で取得した情報とステップＳ８３で取得したＷｅｂページ情報とを関連づけた関連Ｗｅｂページ情報を生成する。関連Ｗｅｂページ情報は図３３に示すようなテーブル形式のデータである。そして、この関連Ｗｅｂページ情報を関連Ｗｅｂページ情報保持部１０９に登録する。図３３の例では、アドレスが「ｈｔｔｐ：／／ｗｗｗ．ｔｉｃｋｅｔ−ｉｎｆｏ．ｃｏ．ｊｐ／」と「ｈｔｔｐ：／／ｍｍｔｖ．ｃｏ．ｊｐ／ｂｂｓ／ｓｎａｐ／」である２つのＷｅｂページに対して、ジャンル、出演者、チャンネルの３種類のリンク対象情報を関連付けている。これにより、設定された３つのリンク対象情報のいずれかと合致する番組であれば、関連づけた２つのＷｅｂページを閲覧することが可能となる。
【０１１２】
このように、第５実施形態によれば、ユーザは、所望の複数のＷｅｂページを、所望のリンク対象情報に関連付けて登録するため、リンク対象情報に連携して閲覧したいＷｅｂページが複数ある場合でも、リンク対象情報と連携して閲覧したい関連Ｗｅｂページの存在を知ることができ、且つ、リンク対象情報に連携して複数のＷｅｂページを表示することができる。また、既にＷｅｂブラウザ１０３のブックマーク機能を利用して登録しているＷｅｂページも自由に番組やチャンネル、ジャンルなどといった属性情報と関連づけて登録することができる。
【０１１３】
なお、１つ又は複数の所望のＷｅｂページに対して複数のリンク対象情報を関連づける場合を上述の第４実施形態及び第５実施形態で説明した。これらの実施形態では、ユーザが視聴している番組が複数のリンク対象情報のいずれかに１つの条件と合致した場合に、関連づけられたＷｅｂページを表示するように構成している。しかしながら、複数のリンク対象情報の全ての条件に合致した場合に、関連づけられたＷｅｂページを表示するように構成してもよい。
【０１１４】
＜第６実施形態＞
第１実施形態では表示する関連Ｗｅｂページが１つである場合について説明したが、第６実施形態では表示する関連Ｗｅｂページが複数である場合について説明する。これは、第５実施形態のように、あるリンク対象情報に複数のＷｅｂページを関連づけた場合に適用される表示方法である。
なお、この表示方法は図２に示した関連Ｗｅｂページ通知・表示部１１３によって実行されるものである。以下、本実施形態の関連Ｗｅｂページ情報の通知・表示処理の流れを図３４のフローチャートを用いて説明する。
【０１１５】
ステップＳ１０１〜Ｓ１０３は第１実施形態として説明した図６のステップＳ３１〜Ｓ３３と同じ処理を行い、ステップＳ１０６は図６のステップＳ３４と同じ処理を行う。従って、ここではステップＳ１０４〜Ｓ１０５の処理についてのみ説明する。
【０１１６】
ステップＳ１０４では、関連Ｗｅｂページ通知・表示部１１３は登録された関連Ｗｅｂページの一覧画面（不図示）をモニタ３１０に表示する。
ステップＳ１０５では、関連Ｗｅｂページ通知・表示部１１３は表示された関連Ｗｅｂページの一覧画面からユーザによってＷｅｂページの選択がされたか否かを判定する。選択されたと判定した場合はステップＳ１０６に進み、選択されないと判定した場合はステップＳ１０４に戻る。
【０１１７】
このように、第６実施形態では、関連Ｗｅｂページの一覧画面を表示することにより、ユーザは、番組の関連Ｗｅｂページが複数存在する場合でも、簡単にＷｅｂページを選択することができ、閲覧を望むＷｅｂページを表示することができる。
【０１１８】
なお、上述の第６実施形態では、複数のＷｅｂページのうち、一つのＷｅｂページを選択して表示するように構成しているが、複数のＷｅｂページを表示するように構成してもよい。複数のＷｅｂページを表示する方法としては、Ｗｅｂページ用表示ウインドウを複数のＷｅｂページに対応させて複数表示する方法が挙げられる。即ち、図１７で示したＷｅｂページ領域をさらに設けるようにすることになり、例えば、２つのＷｅｂページを表示する場合は、番組表示領域と２つのＷｅｂページ表示領域の計３つの表示領域をモニタの表示画面内に設ければよい。
【０１１９】
他の方法として、Ｗｅｂブラウザをタブブラウザとすることにより、ユーザの指示に基づいて、タブを切り替えて複数のＷｅｂページを表示可能なように構成することも可能である。タブブラウザとは、複数のページを１つのウインドウで表示させるために、各Ｗｅｂページをウインドウ内に設けたタブボタンに対応させたブラウザである。タブブラウザの代表的なものとしてはノルウェーのオペラソフトウェア社が開発したブラウザソフトが挙げられる。この方法の場合、図１７で示したような番組表示領域とＷｅｂページ表示領域の２つの領域をモニタの表示画面内に設けるだけで複数のＷｅｂページを表示させることができる。
【０１２０】
＜第７実施形態＞
第１〜６実施形態では、関連Ｗｅｂページの検索を視聴中の番組に対して行う場合について説明したが、第７実施形態では事前に番組属性情報を取得した番組に対して関連Ｗｅｂページを検索する場合について説明する。
【０１２１】
本実施形態のテレビ受像機の関連Ｗｅｂページ検索部１１２が行う関連Ｗｅｂページの検索処理の流れを図３５のフローチャートを用いて説明する。
ステップＳ１１１では、所定のタイミングで番組属性情報保持部１０８に保持されている番組属性情報を取得する。ここで、所定のタイミングとは、電源ＯＦＦ時、深夜１２時などの定時、放送波を受信中だが番組視聴は行っていないような場合、などである。
【０１２２】
ステップＳ１１２では、第１実施形態で説明した図５のステップＳ２５〜Ｓ２６と同じ処理を行う。すなわち、関連Ｗｅｂページ情報保持部１０９から関連Ｗｅｂページ情報を取得し、関連Ｗｅｂページ情報とステップＳ１１１で取得した検索対象の番組の番組属性情報を基に関連Ｗｅｂページを検索する。取得した検索対象の番組とは、番組属性情報保持部１０８が本処理時点で保持している全ての番組であってもよいし、保持している全ての番組のうち、ある一定期間分の番組などであってもよい。
【０１２３】
ステップＳ１１３では、ステップＳ１１２での検索の結果、番組に関連づけられたＷｅｂページが存在するか否かを判定する。存在すると判定した場合はステップＳ１１４に進み、存在しないと判定した場合はステップＳ１１５に進む。
ステップＳ１１４では、検索結果として検索対象の番組の関連Ｗｅｂページ情報を保持する。
【０１２４】
ステップＳ１１５では、番組属性情報保持部１０８に保持されている検索対象の番組属性情報に対して、関連Ｗｅｂページの検索処理が終了したか否かを判定する。終了したと判定した場合は関連Ｗｅｂページの検索処理を終了し、終了しないと判定した場合はステップＳ１１１に戻る。
【０１２５】
次に、本実施形態における関連Ｗｅｂページ通知・表示部１１３が実施する関連Ｗｅｂページの通知・表示処理の流れを図３６のフローチャートを用いて説明する。
図６や図３４を用いて説明した他の実施形態の関連Ｗｅｂページの通知・表示処理との違いは、関連Ｗｅｂページの検索結果を取得してから、関連Ｗｅｂページが存在するか否かを判定する処理が加わる点である。
【０１２６】
ステップＳ１２１では、番組状態検知部１１１が受信番組の状態を認識する。具体的には、視聴者が視聴中の番組があるか否かを判定し、番組がある場合はその番組情報を関連Ｗｅｂページ検索部１１２に送信する処理である。
【０１２７】
ステップＳ１２２では、上記ステップＳ１１４で保持された番組情報とステップＳ１２１で取得した番組情報との一致を関連Ｗｅｂページ検索部１１２が取得する。そして、ステップＳ１２３で、関連Ｗｅｂページ検索部１１２が関連Ｗｅｂページが存在するか否かを判定する。関連Ｗｅｂページが存在すると判定した場合はステップＳ１２４に進み、存在しないと判定した場合は関連Ｗｅｂページの通知・表示処理を終了する。
【０１２８】
ステップＳ１２４では、関連Ｗｅｂページ通知・表示部１１３が関連Ｗｅｂページの通知・表示処理を行う。この通知・表示処理は図６のステップＳ３２〜Ｓ３４、又は、図３４のステップＳ１０２〜Ｓ１０６と同じ処理であるので説明を省略する。
【０１２９】
このように、第７実施形態によれば、所定のタイミングで関連Ｗｅｂページの検索を行っておくことで、関連Ｗｅｂページの存在判定や通知及び表示処理の高速化が図れる。
【０１３０】
＜第８実施形態＞
第１、第６及び第７実施形態では、ユーザが関連Ｗｅｂページ閲覧要求をする前に関連Ｗｅｂページの通知を行う場合について説明した。第８実施形態では、ユーザの関連Ｗｅｂページ閲覧要求後に、関連Ｗｅｂページの通知を行う場合について説明する。
【０１３１】
本実施形態のテレビ受像機における関連Ｗｅｂページ通知・表示部１１３が実施する関連Ｗｅｂページの通知・表示処理の流れを図３７のフローチャートを用いて説明する。
ステップＳ１３１では、関連Ｗｅｂページ通知・表示部１１３が関連Ｗｅｂページ検索部１１２から、視聴中の番組の関連Ｗｅｂページの検索結果を取得する。なお、視聴中の番組に関連Ｗｅｂページがある場合は関連Ｗｅｂページ情報が取得され、ない場合は関連Ｗｅｂページが取得されない。
【０１３２】
ステップＳ１３２では、関連Ｗｅｂページ通知・表示部１１３はユーザによる関連Ｗｅｂページの閲覧要求（閲覧ボタン２０３の押下）があるか否かを判定する。要求があると判定した場合はステップＳ１３３に進み、要求がないと判定した場合はステップＳ１３２の処理を繰り返す。
【０１３３】
ステップＳ１３３では、関連Ｗｅｂページ通知・表示部１１３はステップＳ１３１で関連Ｗｅｂページ情報が取得されたか否かを判定する。取得されたと判定した場合はステップＳ１３４に進み、取得されないと判定した場合はステップＳ１３５に進む。
【０１３４】
ステップＳ１３４では、関連Ｗｅｂページ通知・表示部１１３は図６のステップＳ３２〜Ｓ３４、又は、図３４のステップＳ１０２〜Ｓ１０６と同じ、関連Ｗｅｂページの通知・表示処理を行う。
ステップＳ１３５では、番組の関連Ｗｅｂページが存在しない旨の通知をモニタに表示する。
【０１３５】
このように、第８実施形態によれば、ユーザが関連Ｗｅｂページの閲覧要求を行った後で、関連Ｗｅｂページの存在を通知することで、番組の視聴を妨げることなく関連Ｗｅｂページの存在を通知することができる。
【０１３６】
＜第９実施形態＞
第１、第６〜８実施形態では、番組視聴中に関連Ｗｅｂページの通知を行う場合について説明したが、第９実施形態ではＥＰＧ（電子番組表）の表示中や番組説明の表示中に関連Ｗｅｂページの通知を行う場合について説明する。
【０１３７】
本実施形態のＴＶ受信機における関連Ｗｅｂページ検索部１１２と関連Ｗｅｂページ通知・表示部１１３が実施する、番組の関連Ｗｅｂページの検索・通知処理の流れを図３８のフローチャートを用いて説明する。
【０１３８】
ここでは、モニタ３１０にＥＰＧが表示されているものとする。ステップＳ１４１では、関連Ｗｅｂページ検索部１１２がＥＰＧの表示データを生成する機能部（不図示）から、モニタ３１０に表示されているＥＰＧの範囲に含まれる番組を特定する。
【０１３９】
ステップＳ１４２では、関連Ｗｅｂページ検索部１１２がステップＳ１４１で特定した番組の番組属性情報を番組属性情報保持部１０８から取得する。
ステップＳ１４３では、関連Ｗｅｂページ検索部１１２は関連Ｗｅｂページ情報保持部１０９に保持されている関連Ｗｅｂページ情報を取得する。
【０１４０】
ステップＳ１４４では、関連Ｗｅｂページ検索部１１２は図５のステップＳ２６と同じ処理により、関連Ｗｅｂページの検索を行う。
ステップＳ１４５では、関連Ｗｅｂページ検索部１１２はステップＳ１４４の検索結果から、検索対象の番組に関連Ｗｅｂページが存在するか否かを判定する。存在すると判定した場合はステップＳ１４６に進み、存在しないと判定した場合はステップＳ１４７に進む。
【０１４１】
ステップＳ１４６では、関連Ｗｅｂページ通知・表示部１１３が関連Ｗｅｂページが存在する通知を他の機能部、例えばＥＰＧデータを生成する機能部と連携し、ＥＰＧに表示する。ＥＰＧに表示されている番組に対する関連Ｗｅｂページの存在を示す通知は、例えば図４０のアイコン３０９のようなアイコンや、図１５に示したような、表示方法によって実現することができる。
【０１４２】
ステップＳ１４７では、ＥＰＧに表示している番組に対して関連Ｗｅｂページの検索が終了したか否かを判定する。終了したと判定した場合は関連Ｗｅｂページの検索・通知処理を終了し、終了していないと判定した場合はステップＳ１４４に戻る。
【０１４３】
次に、本実施形態のＴＶ受信機における関連Ｗｅｂページ通知・表示部１１３においてＥＰＧに表示されている番組に対する関連Ｗｅｂページを表示する際の処理の流れを図３９のフローチャートを用いて説明する。
【０１４４】
関連Ｗｅｂページの表示処理は、図４０に示すようにＥＰＧ画面に表示されている番組に対して関連Ｗｅｂページの存在を通知している状態から開始する。
ユーザが閲覧ボタン２０３を押下すると、ステップＳ１５１で、ＥＰＧ画面内のどの番組にフォーカスしているかを特定する。
【０１４５】
ステップＳ１５２では、関連Ｗｅｂページ通知・表示部１１３はフォーカスしている番組の関連Ｗｅｂページの情報を取得する。関連Ｗｅｂページがある場合は関連Ｗｅｂページ情報が取得され、ない場合は関連Ｗｅｂページ情報が取得されない。
【０１４６】
ステップＳ１５３では、関連Ｗｅｂページ通知・表示部１１３はユーザからの関連Ｗｅｂページの閲覧要求があるか否かを判定する。要求があると判定した場合はステップＳ１５４に進み、要求がないと判定した場合はステップＳ１５３の処理を続ける。
【０１４７】
Ｓ１５４では、ＥＰＧ上でフォーカスしている番組に関連Ｗｅｂページがあるかどうか判定する。即ち、ステップＳ１５２で関連Ｗｅｂページ情報を取得しているか否かの判定となる。関連ページがあれば、ステップＳ１５５において関連Ｗｅｂページの表示処理を行う。一方、関連Ｗｅｂページが無い場合には、ステップＳ１５６において、関連Ｗｅｂページが無い旨をユーザに通知し、処理を終了する。
【０１４８】
なお、ＥＰＧではなく、番組説明を表示している番組に対する関連Ｗｅｂページの通知・表示処理も、図６、図３４、図３７のいずれの方法を用いて可能である。
番組説明を表示している番組に対する関連Ｗｅｂページの表示処理は、図４１に示すように関連Ｗｅｂページの存在を示す通知が行われている状態で番組説明をモニタ３１０に表示している状態から開始する。図４１の例では、アイコン３１２を表示したり、情報表示領域３１１に関連Ｗｅｂページ情報を表示したりすることで関連Ｗｅｂページの存在を通知している。
この状態から閲覧ボタン２０３が押下された場合に、関連Ｗｅｂページを表示する処理を行えばよい。
【０１４９】
このように、第９実施形態では、ＥＰＧ画面や番組説明画面に関連Ｗｅｂページの存在を示す情報を表示することで、現在視聴中でない番組に関しても、放送日時に関係なく関連Ｗｅｂページの存在を通知することができ、且つ、簡単な操作でユーザは関連Ｗｅｂページを表示することができる。
【０１５０】
＜第１０実施形態＞
第１及び第６〜第９実施形態では、放送局からリアルタイムに受信した番組に対して関連Ｗｅｂページの通知・表示を行う場合について説明した。第１１実施形態では外部の蓄積装置に録画された番組に対して関連Ｗｅｂページの通知・表示を行う場合について説明する。
【０１５１】
図４２は、第１０実施形態に係るＴＶ受信機における、Ｗｅｂページ表示処理に係る構成例を示すブロック図である。即ち、本実施形態に係るＷｅｂ情報表示装置の構成例を示すブロック図でもある。
なお、図４２において、図２と同じ番号で示すブロックは、図２と同じ機能を有するため説明を省略する。
【０１５２】
外部機器接続部１１６は、蓄積装置１１７に録画されている番組の再生映像や番組説明をモニタ３１０に表示したり、録画されている番組の属性情報を取得したりする。蓄積装置１１７は、放送波から受信したＴＳをパーシャルトランスポートストリーム（以下、Ｐ−ＴＳと記す）に変換した信号を蓄積する装置である。Ｐ−ＴＳには録画番組の映像や音声のほかに、関連Ｗｅｂページの検索に必要な番組属性情報が含まれる。そのため、蓄積装置１１７に録画された番組に対しても、上述した方法で関連Ｗｅｂページの登録や検索、表示を行うことができる。
【０１５３】
第１０実施形態では、外部の蓄積装置に記憶された番組データに含まれる番組属性情報を基に関連Ｗｅｂページの検索を行う。これにより、外部の蓄積装置に録画された番組に対しても、関連Ｗｅｂページの存在を知ることができ、且つ、簡単な操作で関連Ｗｅｂページを表示することができる。なお、外部の蓄積装置に記憶された番組データに含まれる番組属性情報を元に行う関連Ｗｅｂページの検索処理や、Ｗｅｂページの通知・表示処理は上述した各実施形態で説明した処理と同様の処理となる。例えば、外部の蓄積装置に記憶された番組データの再生時に、関連Ｗｅｂページ検索部１１２が蓄積された番組データに含まれる番組属性情報を取得し、関連Ｗｅｂページ情報保持部１０９に保持された情報を用いて検索を行う。
【０１５４】
＜第１１実施形態＞
第１から第５実施形態では、Ｗｅｂページと当該Ｗｅｂページに対応するリンク対象情報を登録する方法を説明した。対して、第１１実施形態では、Ｗｅｂページを登録する際に、番組とＷｅｂ情報を直接的に関連づけて登録する処理を説明する。
図４４は第１１実施形態に係るテレビ受像機における、Ｗｅｂページ登録処理に係る構成例を示すブロック図である。即ち、本実施形態に係るＷｅｂ情報処理装置の構成例を示すブロック図でもある。
なお、図４４において、図１と同じ番号で示すブロックは、図１と同じ機能を有するため説明を省略する。
【０１５５】
関連Ｗｅｂページ検索・更新部１１４は、関連Ｗｅｂページ情報保持部１０９に追加された関連Ｗｅｂページ情報と番組属性情報保持部１０８で保持する番組属性情報に基づき、番組情報取得済みの番組に対してＷｅｂページを関連づける番組が存在しているか否かの検索を行う。また、後述する番組属性情報更新検出部１１７で番組属性情報の更新が検出された番組に対して番組属性情報保持部１０８から番組属性情報を取得し、関連づけるＷｅｂページの更新処理を行う。前述した関連Ｗｅｂページ検索・更新処理の結果に基づき、図４６に示すような番組毎に関連Ｗｅｂページを対応付けたテーブルを作成し、後述する検索結果保持部１１５に保持する。詳細については、図４５または図４７から図４９で説明する。
【０１５６】
検索結果保持部１１５は、関連Ｗｅｂページの検索・更新結果を関連Ｗｅｂページ検索・更新部１１４から取得し、保持する。
更新管理情報保持部１１６は、後述する番組属性情報更新検出部１１７で番組属性情報の更新を検出するために用いる番組属性情報の取得範囲、取得順序を定義した図５０に示すようなテーブルを保持する。図５０に示すテーブルの例では、チャンネル、放送される日付、放送される時間帯が番組属性情報の取得範囲として定義され、現在から近い時間順に取得順序が定義される。
【０１５７】
番組属性情報更新検出部１１７は、更新管理情報保持部１１６で保持する情報と番組属性情報保持部１０８で保持する番組属性情報に基づき、番組属性情報が更新された番組を検出する。番組属性情報の更新が検出された場合は、該当する番組の番組属性情報を関連Ｗｅｂページ検索・更新部１１４に送り、関連Ｗｅｂページ検索・更新部１１４において関連Ｗｅｂページの検索・更新を行う。詳細については、図４７から図４９を用いて説明する。
【０１５８】
本実施形態における関連Ｗｅｂページ検索・更新部１１４が実施する関連Ｗｅｂページ検索処理の流れを図４５のフローチャートを用いて説明する。
ステップＳ１６１において、関連Ｗｅｂページ検索・更新部１１４は、関連Ｗｅｂページ情報保持部１０９に新しく追加された関連Ｗｅｂページ情報を取得する。その後、ステップＳ１６２において、関連Ｗｅｂページ検索・更新部１１４は、番組情報保持部１０８に保持されている番組属性情報を取得する。そして、ステップＳ１６３に移行する。
【０１５９】
ステップＳ１６３では、関連Ｗｅｂページ検索・更新部１１４が、ステップＳ１６１で取得した関連Ｗｅｂページ情報に係るリンク対象情報をステップＳ１６２で取得した番組属性情報から検索する。なお、このリンク対象情報は、上述した各実施形態で示したリンク対象情報と同様のものである。
【０１６０】
続いて、ステップＳ１６４では、関連Ｗｅｂページ検索・更新部１１４がステップＳ１６３の検索結果に基づき、ステップＳ１６２で取得した番組属性情報にステップＳ１６１で取得した関連Ｗｅｂページ情報内のリンク対象が含まれるか否かを判定する。含まれると判定した場合はステップＳ１６５に進み、含まれないと判定した場合はステップＳ１６７に進む。
【０１６１】
ステップＳ１６５では、関連Ｗｅｂページ検索・更新部１１４が、ステップＳ１６５で記憶した関連Ｗｅｂページ情報と番組との対応に基づき、図４６に示すような番組と関連Ｗｅｂページとを対応付けた情報を生成する。
ステップＳ１６６において、関連Ｗｅｂページ検索・更新部１１４は、ステップＳ１６８で生成された番組と関連Ｗｅｂページとを対応付けた情報を検索結果保持部１１５に登録する。
【０１６２】
続いて、ステップＳ１６７では、関連Ｗｅｂページ検索・更新部１１４が、番組属性情報保持部１０８に保持されている検索対象の番組属性情報に対して関連Ｗｅｂページの検索処理が終了したか否かを判定する。終了したと判定した場合は本フローの処理を終了する。終了していないと判定した場合はステップＳ１６３に戻り、未終了分の検索処理を続行する。
【０１６３】
本実施形態における番組属性情報更新検出部１１７と関連Ｗｅｂページ検索・更新部１１４が実施する関連Ｗｅｂページの検索結果更新処理の流れを図４７、図４８、図４９のフローチャートを用いて説明する。
ステップＳ１７１では、番組属性情報更新検出部１１７が放送波から取得する番組属性情報の範囲を設定する。本実施形態では、チャンネル、日付、時間帯によって番組属性情報を取得する範囲を設定する。例えば、チャンネル番号が１０１のチャンネルで５日先の１２時００分００秒〜１４時５９分５９秒を番組属性情報の取得範囲として設定する。番組属性情報を取得する範囲の設定は、図５０のような番組属性情報の取得範囲を定義したテーブルを用いて設定する。
【０１６４】
ステップＳ１７２において、番組属性情報更新検出部１１７はステップＳ１７１で設定した取得範囲の番組属性情報を放送波から取得する。続いて、ステップＳ１７３では、番組属性情報更新検出部１１７がステップＳ１７１で設定した取得範囲内の番組属性情報保持部１０８で保持される番組属性情報に更新があるか否かを判定する。
【０１６５】
例えば図５０で示すように、チャンネル番号が１０２、放送される日付が本日から５日先、放送される時間帯が１２時００分００秒〜１４時５９分５９秒という範囲の番組に対して、番組属性情報保持部１０８で保持されている番組属性情報に更新があるか否かの判定を行う。更新の有無の判定方法は、本実施形態ではステップＳ１７１で設定した取得範囲内で放送波から取得した番組属性情報と番組属性情報保持部１０８に既に保持されている番組属性情報を比較し、２つの情報に差異があるか否かを判定することで行う。番組属性情報の比較方法は、例えばＣ言語のｍｅｍｃｍｐ関数のように２つのメモリ領域のデータを比較する方法を用いるが、２つの情報を比較できる方法であればよい。ステップＳ１７３で番組属性情報の更新があると判定した場合はステップＳ１７４に進み、変更がないと判定した場合はステップＳ１７９に進む。
【０１６６】
ステップＳ１７４において、番組属性情報更新検出部１１７と関連Ｗｅｂページ検索・更新部１１４は、取得範囲内で放送波から番組属性情報を取得した番組に対する関連Ｗｅｂページの更新処理を行う。ステップＳ１７４の関連Ｗｅｂページ更新処理の詳細については、図４８で説明する。
【０１６７】
ステップＳ１７５では、番組属性情報更新検出部１１７が、ステップＳ１７１で設定した取得範囲内の番組に対して、関連Ｗｅｂページの更新処理が終了したか否かを判定する。終了したと判定した場合はステップＳ１７６に進み、更新処理が終了していないと判定した場合はステップＳ１７４に戻る。
【０１６８】
ステップＳ１７６では、番組属性情報更新検出部１１７が、ステップＳ１７１で設定した取得範囲内の番組に対して放送が中止された番組があるか否かを判定する。放送が中止された番組の有無の判定は、ステップＳ１７１で設定した取得範囲内の番組に対して、番組属性情報保持部１０８には番組属性情報が存在するが、放送波からは番組属性情報が取得されない番組の有無を判定することで行う。放送が中止された番組が存在すると判定した場合はステップＳ１７７に進み、存在しないと判定した場合はステップＳ１７８に進む。
【０１６９】
ステップＳ１７７では、関連Ｗｅｂページ検索・更新部１１４が、番組属性情報更新検出部１１７が検出した放送が中止された番組に係る関連Ｗｅｂページの削除処理を行う。ステップＳ１７７の関連Ｗｅｂページ削除処理の詳細については、図４９で説明する。
ステップＳ１７８では、ＴＶ受信部１０１は、ステップＳ１７２で設定した放送波から取得した番組属性情報に基づき、番組属性情報保持部１０８に保持されている番組属性情報を更新する。
【０１７０】
続いて、ステップＳ１７９において、番組属性情報更新検出部１１７は図５０のテーブルを用いて次に番組属性情報を取得する範囲の有無を確認することで、更新処理対象の番組が存在するか否かを判定する。更新処理対象の番組が存在すると判定した場合はステップＳ１７１に戻り、更新処理対処の番組が存在しないと判定した場合は関連Ｗｅｂページの更新処理を終了する。
【０１７１】
続いて、図４７のステップＳ１７４で実施する関連Ｗｅｂページの検索結果更新処理の詳細を図４８のフローチャートを用いて説明する。
まず、ステップＳ１８１において、番組属性情報更新検出部１１７は放送波から番組属性情報を取得した番組が番組属性情報保持部１０８に存在するか否かを判定する。つまり、過去、番組属性情報が取得されている番組であるか否かを判定する。未取得、即ち、新たに取得された番組であると判定した場合は、ステップＳ１８３に進み、既に番組属性情報を取得済みの番組であると判定した場合はステップＳ１８２に進む。
【０１７２】
ステップＳ１８２では、番組属性情報更新検出部１１７が、放送波から取得した番組属性情報と、既に番組属性情報保持部１０８に保持されている番組属性情報の内容が一致しているか否かを判定する。番組属性情報の内容が一致しているか否かの判定は、図４７のステップＳ１７３と同様に、２つの番組属性情報を比較することで行う。一致していると判定した場合は関連Ｗｅｂページ更新処理を終了し、一致していないと判定した場合はステップＳ１８３に進む。
【０１７３】
ステップＳ１８３では、関連Ｗｅｂページ検索・更新部１１４が、検索対象の番組に対して第１実施形態で説明した図５のステップＳ２５〜Ｓ２６と同じ関連Ｗｅｂページ検索処理を行う。
ステップＳ１８４では、関連Ｗｅｂページ検索・更新部１１４が、ステップＳ１８３で行った関連Ｗｅｂページ検索処理の検索結果に基づき、検索結果保持部１１５に保持されている検索対象の番組の関連Ｗｅｂページ情報を更新する。
【０１７４】
続いて、図４７のステップＳ１７７で実施する関連Ｗｅｂページの検索結果削除処理の詳細を図４９のフローチャートを用いて説明する。
ステップＳ１９１において、関連Ｗｅｂページ検索・更新部１１４は放送が中止された番組に対して、検索結果保持部１１５に保持されている関連Ｗｅｂページを削除する。放送が中止された番組の特定は、図４７のステップＳ１７１で示したように、番組属性情報保持部１０８には番組属性情報が保持されており、かつ、放送波からは番組属性情報が取得されない番組を特定することで行う。
【０１７５】
続いて、ステップＳ１９２において、関連Ｗｅｂページ検索・更新部１１４は放送が中止された番組に対して関連Ｗｅｂページの削除処理が終了したか否かを判定する。終了したと判定した場合は関連Ｗｅｂページ削除処理を終了し、終了しないと判定した場合はステップＳ１９１に戻る。
【０１７６】
以上、第１１実施形態について説明した。第１１実施形態では、関連Ｗｅｂページ登録時に予め関連Ｗｅｂページと番組を対応付けて保持しておく。Ｗｅｂページ登録時に対応する番組の検索を行って対応付けた状態で保持することにより、Ｗｅｂページの表示時に番組属性情報とリンク対象情報を用いた検索処理などが不要となり、迅速に表示を行うことができる。また、番組属性情報が更新される度に関連Ｗｅｂページと番組の対応付けを更新する。このように構成することで、放送される番組内容の変更が生じても、番組に関連付けられたＷｅｂページの存在判定や通知及び表示を正確に行うことができる。
【０１７７】
＜第１２の実施形態＞
続いて、第１２実施形態について説明する。第１２実施形態は、第１１実施形態において説明した関連Ｗｅｂページの登録及び更新処理を前提とし、その処理を踏まえて関連Ｗｅｂページを通知及び表示する処理について説明するものである。
【０１７８】
図５１は第１２実施形態に係るＷｅｂ情報処理装置またはテレビ受像機の構成例を示すブロック図である。なお、図５１において、図２または図４４と同じ番号で示すブロックは、図２、図４４と同じ機能を有するため説明を省略する。
関連Ｗｅｂページ取得部１１８は、番組状態検知部１１１から通知された番組を特定する情報に基づいて、番組に関連付けられたＷｅｂページを取得する。
【０１７９】
本実施形態のテレビ受像機における関連Ｗｅｂページ取得部１１８と関連Ｗｅｂページ通知・表示部１１３が実施する、視聴中の番組に対する関連Ｗｅｂページの通知・表示処理の流れを図５２のフローチャートを用いて説明する。
まず、ステップＳ２０１において、関連Ｗｅｂページ取得部１１８は図５のＳ２３と同じ処理を行う。続いて、ステップＳ２０２では、関連Ｗｅｂページ取得部１１８が番組状態検知部１１１から受信中の番組を特定する情報を取得する。そして、ステップＳ２０３へ移行する。
【０１８０】
ステップＳ２０３において、関連Ｗｅｂページ取得部１１８は、番組状態検知部１１１から通知された番組の関連Ｗｅｂページの検索結果が検索結果保持部１１５に存在するか否かを判定する。存在すると判定した場合はステップＳ２０４に進み、存在しないと判定した場合は関連Ｗｅｂページ通知・表示処理を終了する。
【０１８１】
ステップＳ２０４では、関連Ｗｅｂページ取得部１１８が検索結果保持部１１５から受信中の番組に対する関連Ｗｅｂページの検索結果を取得する。その後、ステップＳ２０５で、関連Ｗｅｂページ通知・表示部１１５が関連Ｗｅｂページ取得部１１８から受信中の番組の関連Ｗｅｂページを取得する。その後の処理は、図６のステップＳ３２〜Ｓ３４で示した処理と同様に処理を実行する。
【０１８２】
続いて、本実施形態のテレビ受像機における関連Ｗｅｂページ取得部１１８と関連Ｗｅｂページ通知・表示部１１３が、ＥＰＧに表示中の番組の関連Ｗｅｂページを通知及び表示する処理を図５３のフローチャートを用いて説明する。
まず、ステップＳ２１１では、関連Ｗｅｂページ取得部１１８が番組属性情報保持部１０９からＥＰＧに表示されている番組を特定する情報を取得する。
【０１８３】
続いて、ステップＳ１９２において、関連Ｗｅｂページ取得部１１８は検索結果保持部１１５に保持されている関連Ｗｅｂページの検索結果に基づき、ＥＰＧに表示されている番組に関連Ｗｅｂページが存在するか否かを判定する。存在すると判定した場合はステップＳ２１３に進み、存在しないと判定した場合はステップＳ２１５に進む。
【０１８４】
ステップＳ２１３では、関連Ｗｅｂページ取得部１１８が検索結果保持部１１５から関連Ｗｅｂページの検索結果を取得する。そして、ステップＳ２１４で、関連Ｗｅｂページ通知・表示部１１５は図３８のステップＳ１４６と同じ処理を行う。
ステップＳ２１５では、関連Ｗｅｂページ取得部１１８がＥＰＧに表示されている番組に対して関連Ｗｅｂページの通知処理が終了したか否かを判定する。終了したと判定した場合はステップＳ２１６に進み、終了しないと判定した場合はステップＳ２１２に戻る。
ステップＳ２１６では、関連Ｗｅｂページ通知・表示部１１５が図３９に示す関連Ｗｅｂページ表示処理と同じ処理を行う。
【０１８５】
以上、第１２実施形態について説明した。第１２実施形態では、第１１実施形態で説明した構成を前提として関連Ｗｅｂページを通知するため、ユーザへの情報通知を迅速に行うことができる。特に、ＥＰＧのような複数の番組を同時に表示するような表示形態で、各番組に関連づけられたＷｅｂページを通知するような場合で採用した場合、事前に番組とＷｅｂページを関連付けておくことにより、迅速に処理できる。
【０１８６】
上述した各実施形態は、システム或は装置のコンピュータ（或いはＣＰＵ、ＭＰＵ等）によりソフトウェア的に実現することも可能である。
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【０１８７】
なお、上述した各実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【０１８８】
上述した各実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１８９】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【０１９０】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
つまり、上述の実施形態を実現するためのプログラムファイルをクライアントコンピュータに提供するサーバ装置も本発明の一つである。
【０１９１】
また、上述の実施形態を実現するためのコンピュータプログラムを暗号化して格納した記憶媒体をユーザに配布し、所定の条件を満たしたユーザに、暗号化を解く鍵情報を供給し、ユーザの有するコンピュータへのインストールを可能とすることも可能である。鍵情報は、例えばインターネットを介してホームページからダウンロードさせることによって供給することができる。
【０１９２】
また、上述の実施形態を実現するためのコンピュータプログラムは、すでにコンピュータ上で稼働するＯＳの機能を利用するものであってもよい。
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１９３】
【図１】本発明の第１実施形態に係るＷｅｂ情報処理装置の一例としてのＷｅｂ情報登録装置の構成例を示すブロック図である。
【図２】本発明の第１の実施形態に係るＷｅｂ情報処理装置の別の一例としてのＷｅｂ情報表示装置の構成例を示すブロック図である。
【図３】本実施形態のテレビ受像機で用いるリモコン２００の外観例を示す図である。
【図４】本発明の第１実施形態のテレビ受像機における、関連Ｗｅｂページ情報の登録処理の流れを説明するフローチャートである。
【図５】本発明の第１実施形態のテレビ受像機における、関連Ｗｅｂページの検索処理の流れを説明するフローチャートである。
【図６】本発明の第１実施形態のテレビ受像機における、関連Ｗｅｂページの通知・表示処理の流れを説明するフローチャートである。
【図７】本発明の第１実施形態のテレビ受像機における、Ｗｅｂページの表示画面例を示す図である。
【図８】本発明の第１実施形態のテレビ受像機における、Ｗｅｂページ登録方法の選択画面の例を示す図である。
【図９】本発明の第１実施形態のテレビ受像機における、リンク対象情報設定方法の選択画面の例を示す図である。
【図１０】本発明の第１実施形態のテレビ受像機における、番組一覧画面の例を示す図である。
【図１１】本発明の第１実施形態のテレビ受像機における、番組名入力画面の例を示す図である。
【図１２】本発明の第１実施形態のテレビ受像機における、番組一覧画面の例を示す図である。
【図１３】本発明の第１実施形態のテレビ受像機において、関連Ｗｅｂページ情報保持部で保持する関連Ｗｅｂページ情報の具体例を示す図である。
【図１４】本発明の第１実施形態のテレビ受像機において、受信中の番組に関連Ｗｅｂページが存在することを通知する画面の例を示す図である。
【図１５】本発明の第１実施形態のテレビ受像機において、受信中の番組に関連Ｗｅｂページが存在することを通知する他の画面の例を示す図である。
【図１６】本発明の第１実施形態のテレビ受像機において、受信中の番組の関連Ｗｅｂページの表示確認を行なうための画面例を示す図である。
【図１７】本発明の第１実施形態のテレビ受像機において、関連Ｗｅｂページを受信中の番組と別画面で表示する例を示す図である。
【図１８】本発明の第２実施形態のテレビ受像機における、関連Ｗｅｂページ情報登録処理の流れを説明するフローチャートである。
【図１９】本発明の第２実施形態のテレビ受像機における、リンク対象情報設定方法の選択画面例を示す図である。
【図２０】本発明の第２実施形態のテレビ受像機における、キーワード又は出演者名選択画面の例を示す図である。
【図２１】本発明の第２実施形態のテレビ受像機における、キーワード又は出演者名入力画面の例を示す図である。
【図２２】本発明の第２実施形態のテレビ受像機における関連Ｗｅｂページ情報保持部１０９が保持する、関連Ｗｅｂページ情報の例を示す図である。
【図２３】本発明の第３実施形態のテレビ受像機における、関連Ｗｅｂページ情報登録処理の流れを説明するフローチャートである。
【図２４】本発明の第３実施形態のテレビ受像機における、ジャンル又はチャンネル一覧画面の例を示す図である。
【図２５】本発明の第３実施形態のテレビ受像機における関連Ｗｅｂページ情報保持部１０９が保持する、関連Ｗｅｂページ情報の例を示す図である。
【図２６】本発明の第４実施形態のテレビ受像機における、関連Ｗｅｂページ情報登録処理の流れを説明するフローチャートである。
【図２７】本発明の第４実施形態のテレビ受像機における、リンク対象情報の設定画面の例を示す図である。
【図２８】本発明の第４実施形態のテレビ受像機における関連Ｗｅｂページ情報保持部１０９が保持する、関連Ｗｅｂページ情報の例を示す図である。
【図２９】本発明の第５実施形態に係るＷｅｂ情報処理装置の一例としてのテレビ受像機における、Ｗｅｂページ登録処理に係る構成例を示すブロック図である。
【図３０】本発明の第５実施形態のテレビ受像機における、関連Ｗｅｂページ情報登録処理の流れを説明するフローチャートである。
【図３１】本発明の第５実施形態のテレビ受像機における、登録済Ｗｅｂページの一覧画面の例を示す図である。
【図３２】本発明の第５実施形態のテレビ受像機における、Ｗｅｂページ選択画面の例を示す図である。
【図３３】本発明の第５実施形態のテレビ受像機における関連Ｗｅｂページ情報保持部１０９が保持する、関連Ｗｅｂページ情報の例を示す図である。
【図３４】本発明の第６実施形態のテレビ受像機における、関連Ｗｅｂページの通知・表示処理の流れを説明するフローチャートである。
【図３５】本発明の第７実施形態のテレビ受像機の関連Ｗｅｂページ検索部１１２が行なう、関連Ｗｅｂページの検索処理の流れを示すフローチャートである。
【図３６】本発明の第７実施形態のテレビ受像機における、関連Ｗｅｂページの通知・表示処理の流れを示すフローチャートである。
【図３７】本発明の第８実施形態のテレビ受像機における、関連Ｗｅｂページの通知・表示処理の流れを説明するフローチャートである。
【図３８】本発明の第８実施形態のテレビ受像機における、番組の関連Ｗｅｂページの検索・通知処理の流れを示すフローチャートである。
【図３９】本発明の第９実施形態のテレビ受像機における、関連Ｗｅｂページの表示処理の流れを説明するフローチャートである。
【図４０】本発明の第９実施形態のテレビ受像機において、ＥＰＧを利用して関連Ｗｅｂページの存在を通知している状態の例を示す図である。
【図４１】本発明の第９実施形態のテレビ受像機において、番組説明画面を利用して関連Ｗｅｂページの存在を通知している状態の例を示す図である。
【図４２】本発明の第１０実施形態に係るＷｅｂ情報処理装置の一例としてのテレビ受像機における、Ｗｅｂページ表示処理に係る構成例を示すブロック図である。
【図４３】本発明の第１実施形態に係るＷｅｂ情報処理装置の更に別の一例としてのＷｅｂ情報登録表示装置の構成例を示すブロック図である。
【図４４】本発明の第１１実施形態に係るＷｅｂ情報処理装置の一例としてＷｅｂ情報登録装置の構成例を示すブロック図である。
【図４５】本発明の第１１実施形態のテレビ受像機における、関連Ｗｅｂページの検索処理の流れを説明するフローチャートである。
【図４６】本発明の第１１実施形態のテレビ受像機において、検索結果保持部で保持する関連Ｗｅｂページ検索結果の具体例を示す図である。
【図４７】本発明の第１１実施形態のテレビ受像機における、関連Ｗｅｂページの検索結果更新処理の流れを説明するフローチャートである。
【図４８】本発明の第１１実施形態のテレビ受像機における、関連Ｗｅｂページの検索結果更新処理の流れを説明するフローチャートである。
【図４９】本発明の第１１実施形態のテレビ受像機における、関連Ｗｅｂページの検索結果更新処理の流れを説明するフローチャートである。
【図５０】本発明の第１１実施形態のテレビ受像機において、更新管理情報保持部で保持する更新管理情報の具体例を示す図である。
【図５１】本発明の第１２実施形態に係るＷｅｂ情報処理装置の一例としてＷｅｂ情報表示装置の構成例を示すブロック図である。
【図５２】本発明の第１２実施形態のテレビ受像機において、関連Ｗｅｂページの通知・表示処理の流れを説明するフローチャートである。
【図５３】本発明の第１２実施形態のテレビ受像機において、関連Ｗｅｂページの通知・表示処理の流れを説明するフローチャートである。
【図１】
2007312250.tif 000003
【図２】
2007312250.tif 000004
【図３】
2007312250.tif 000005
【図４】
2007312250.tif 000006
【図５】
2007312250.tif 000007
【図６】
2007312250.tif 000008
【図７】
2007312250.tif 000009
【図８】
2007312250.tif 000010
【図９】
2007312250.tif 000011
【図１０】
2007312250.tif 000012
【図１１】
2007312250.tif 000013
【図１２】
2007312250.tif 000014
【図１３】
2007312250.tif 000015
【図１４】
2007312250.tif 000016
【図１５】
2007312250.tif 000017
【図１６】
2007312250.tif 000018
【図１７】
2007312250.tif 000019
【図１８】
2007312250.tif 000020
【図１９】
2007312250.tif 000021
【図２０】
2007312250.tif 000022
【図２１】
2007312250.tif 000023
【図２２】
2007312250.tif 000024
【図２３】
2007312250.tif 000025
【図２４】
2007312250.tif 000026
【図２５】
2007312250.tif 000027
【図２６】
2007312250.tif 000028
【図２７】
2007312250.tif 000029
【図２８】
2007312250.tif 000030
【図２９】
2007312250.tif 000031
【図３０】
2007312250.tif 000032
【図３１】
2007312250.tif 000033
【図３２】
2007312250.tif 000034
【図３３】
2007312250.tif 000035
【図３４】
2007312250.tif 000036
【図３５】
2007312250.tif 000037
【図３６】
2007312250.tif 000038
【図３７】
2007312250.tif 000039
【図３８】
2007312250.tif 000040
【図３９】
2007312250.tif 000041
【図４０】
2007312250.tif 000042
【図４１】
2007312250.tif 000043
【図４２】
2007312250.tif 000044
【図４３】
2007312250.tif 000045
【図４４】
2007312250.tif 000046
【図４５】
2007312250.tif 000047
【図４６】
2007312250.tif 000048
【図４７】
2007312250.tif 000049
【図４８】
2007312250.tif 000050
【図４９】
2007312250.tif 000051
【図５０】
2007312250.tif 000052
【図５１】
2007312250.tif 000053
【図５２】
2007312250.tif 000054
【図５３】
2007312250.tif 000055
【手続補正書】
【提出日】平成19年6月27日(2007.6.27)
【手続補正１】
【補正対象書類名】明細書
【補正対象項目名】００４５
【補正方法】変更
【補正の内容】
【００４５】
例えば、ユーザは、本実施形態のＴＶ受像機１００が提供するＷｅｂブラウザ機能を用い、所望のＷｅｂページが表示された状態で、リモコン２００のブックマークボタン２０４を押下することで、表示中のＷｅｂページを任意の番組と関連付けて登録可能である。
まず、図４のステップＳ１１で、関連Ｗｅｂページ情報登録部１０５はモニタ３１０に表示中のＷｅｂページのＷｅｂページ情報をＷｅｂページ情報取得部１０６から取得する。
【手続補正２】
【補正対象書類名】明細書
【補正対象項目名】００６１
【補正方法】変更
【補正の内容】
【００６１】
ステップＳ２３では、関連Ｗｅｂページ検索部１１２が番組状態検知部１１１から受信中の番組を特定する情報を取得する。
ステップＳ２４では、関連Ｗｅｂページ検索部１１２が番組属性情報保持部１０８から受信中の番組の番組属性情報を取得する。
ステップＳ２５では、関連Ｗｅｂページ検索部１１２が関連Ｗｅｂページ情報保持部１０９から関連Ｗｅｂページ情報を取得する。関連Ｗｅｂページ情報は図１３を用いて説明したテーブル形式の情報である。なお、必ずしも関連Ｗｅｂページ検索部１１２が関連Ｗｅｂページ情報を取得する必要はない。関連Ｗｅｂページ情報は不図示の記憶媒体に格納されている情報であるので、当該記憶媒体にアクセスすることでも後述する関連Ｗｅｂページの検索処理が実行できるためである。
【手続補正３】
【補正対象書類名】明細書
【補正対象項目名】００８６
【補正方法】変更
【補正の内容】
【００８６】
ステップＳ５３では、関連Ｗｅｂページ情報登録部１０５はステップＳ５２でＷｅｂページに関連付けるジャンル、又は、チャンネルが選択されたか否かを判定する。選択されたと判定するとステップＳ５４に進み、選択されていないと判定するとステップＳ５２に戻る。
ステップＳ５４では、関連Ｗｅｂページ情報登録部１０５はリンク対象情報としてジャンル、又は、チャンネルを特定するＩＤをリンク対象情報取得部１０７より取得する。なお、ジャンルやチャンネルを特定するＩＤは番組属性情報保持部１０８が番組属性から取得したＩＤである。従って、ジャンル一覧画面やチャンネル一覧画面に表示する情報は番組属性情報保持部１０８が保持している情報に基づいて生成することができる。そのほか、ジャンルやチャンネルを特定するＩＤが放送規格によって定められている場合は、予め装置１００内にＩＤを保持しておくことで、番組属性情報から取得しなくても同様の処理が実現可能である。
【手続補正４】
【補正対象書類名】明細書
【補正対象項目名】０１５５
【補正方法】変更
【補正の内容】
【０１５５】
関連Ｗｅｂページ検索・更新部１２１は、関連Ｗｅｂページ情報保持部１０９に追加された関連Ｗｅｂページ情報と番組属性情報保持部１０８で保持する番組属性情報に基づき、番組情報取得済みの番組に対してＷｅｂページを関連づける番組が存在しているか否かの検索を行う。また、後述する番組属性情報更新検出部１２４で番組属性情報の更新が検出された番組に対して番組属性情報保持部１０８から番組属性情報を取得し、関連づけるＷｅｂページの更新処理を行う。前述した関連Ｗｅｂページ検索・更新処理の結果に基づき、図４６に示すような番組毎に関連Ｗｅｂページを対応付けたテーブルを作成し、後述する検索結果保持部１２２に保持する。詳細については、図４５または図４７から図４９で説明する。
【手続補正５】
【補正対象書類名】明細書
【補正対象項目名】０１５６
【補正方法】変更
【補正の内容】
【０１５６】
検索結果保持部１２２は、関連Ｗｅｂページの検索・更新結果を関連Ｗｅｂページ検索・更新部１２１から取得し、保持する。
更新管理情報保持部１２３は、後述する番組属性情報更新検出部１２４で番組属性情報の更新を検出するために用いる番組属性情報の取得範囲、取得順序を定義した図５０に示すようなテーブルを保持する。図５０に示すテーブルの例では、チャンネル、放送される日付、放送される時間帯が番組属性情報の取得範囲として定義され、現在から近い時間順に取得順序が定義される。
【手続補正６】
【補正対象書類名】明細書
【補正対象項目名】０１５７
【補正方法】変更
【補正の内容】
【０１５７】
番組属性情報更新検出部１２４は、更新管理情報保持部１２３で保持する情報と番組属性情報保持部１０８で保持する番組属性情報に基づき、番組属性情報が更新された番組を検出する。番組属性情報の更新が検出された場合は、該当する番組の番組属性情報を関連Ｗｅｂページ検索・更新部１２１に送り、関連Ｗｅｂページ検索・更新部１２１において関連Ｗｅｂページの検索・更新を行う。詳細については、図４７から図４９を用いて説明する。
【手続補正７】
【補正対象書類名】明細書
【補正対象項目名】０１５８
【補正方法】変更
【補正の内容】
【０１５８】
本実施形態における関連Ｗｅｂページ検索・更新部１２１が実施する関連Ｗｅｂページ検索処理の流れを図４５のフローチャートを用いて説明する。
ステップＳ１６１において、関連Ｗｅｂページ検索・更新部１２１は、関連Ｗｅｂページ情報保持部１０９に新しく追加された関連Ｗｅｂページ情報を取得する。その後、ステップＳ１６２において、関連Ｗｅｂページ検索・更新部１２１は、番組属性情報保持部１０８に保持されている番組属性情報を取得する。そして、ステップＳ１６３に移行する。
【手続補正８】
【補正対象書類名】明細書
【補正対象項目名】０１５９
【補正方法】変更
【補正の内容】
【０１５９】
ステップＳ１６３では、関連Ｗｅｂページ検索・更新部１２１が、ステップＳ１６１で取得した関連Ｗｅｂページ情報に係るリンク対象情報をステップＳ１６２で取得した番組属性情報から検索する。なお、このリンク対象情報は、上述した各実施形態で示したリンク対象情報と同様のものである。
【手続補正９】
【補正対象書類名】明細書
【補正対象項目名】０１６０
【補正方法】変更
【補正の内容】
【０１６０】
続いて、ステップＳ１６４では、関連Ｗｅｂページ検索・更新部１２１がステップＳ１６３の検索結果に基づき、ステップＳ１６２で取得した番組属性情報にステップＳ１６１で取得した関連Ｗｅｂページ情報内のリンク対象が含まれるか否かを判定する。含まれると判定した場合はステップＳ１６５に進み、含まれないと判定した場合はステップＳ１６７に進む。
【手続補正１０】
【補正対象書類名】明細書
【補正対象項目名】０１６１
【補正方法】変更
【補正の内容】
【０１６１】
ステップＳ１６５では、関連Ｗｅｂページ検索・更新部１２１が、ステップＳ１６５で記憶した関連Ｗｅｂページ情報と番組との対応に基づき、図４６に示すような番組と関連Ｗｅｂページとを対応付けた情報を生成する。
ステップＳ１６６において、関連Ｗｅｂページ検索・更新部１２１は、ステップＳ１６８で生成された番組と関連Ｗｅｂページとを対応付けた情報を検索結果保持部１２２に登録する。
【手続補正１１】
【補正対象書類名】明細書
【補正対象項目名】０１６２
【補正方法】変更
【補正の内容】
【０１６２】
続いて、ステップＳ１６７では、関連Ｗｅｂページ検索・更新部１２１が、番組属性情報保持部１０８に保持されている検索対象の番組属性情報に対して関連Ｗｅｂページの検索処理が終了したか否かを判定する。終了したと判定した場合は本フローの処理を終了する。終了していないと判定した場合はステップＳ１６３に戻り、未終了分の検索処理を続行する。
【手続補正１２】
【補正対象書類名】明細書
【補正対象項目名】０１６３
【補正方法】変更
【補正の内容】
【０１６３】
本実施形態における番組属性情報更新検出部１２４と関連Ｗｅｂページ検索・更新部１２１が実施する関連Ｗｅｂページの検索結果更新処理の流れを図４７、図４８、図４９のフローチャートを用いて説明する。
ステップＳ１７１では、番組属性情報更新検出部１２４が放送波から取得する番組属性情報の範囲を設定する。本実施形態では、チャンネル、日付、時間帯によって番組属性情報を取得する範囲を設定する。例えば、チャンネル番号が１０１のチャンネルで５日先の１２時００分００秒〜１４時５９分５９秒を番組属性情報の取得範囲として設定する。番組属性情報を取得する範囲の設定は、図５０のような番組属性情報の取得範囲を定義したテーブルを用いて設定する。
【手続補正１３】
【補正対象書類名】明細書
【補正対象項目名】０１６４
【補正方法】変更
【補正の内容】
【０１６４】
ステップＳ１７２において、番組属性情報更新検出部１２４はステップＳ１７１で設定した取得範囲の番組属性情報を放送波から取得する。続いて、ステップＳ１７３では、番組属性情報更新検出部１２４がステップＳ１７１で設定した取得範囲内の番組属性情報保持部１０８で保持される番組属性情報に更新があるか否かを判定する。
【手続補正１４】
【補正対象書類名】明細書
【補正対象項目名】０１６６
【補正方法】変更
【補正の内容】
【０１６６】
ステップＳ１７４において、番組属性情報更新検出部１２４と関連Ｗｅｂページ検索・更新部１２１は、取得範囲内で放送波から番組属性情報を取得した番組に対する関連Ｗｅｂページの更新処理を行う。ステップＳ１７４の関連Ｗｅｂページ更新処理の詳細については、図４８で説明する。
【手続補正１５】
【補正対象書類名】明細書
【補正対象項目名】０１６７
【補正方法】変更
【補正の内容】
【０１６７】
ステップＳ１７５では、番組属性情報更新検出部１２４が、ステップＳ１７１で設定した取得範囲内の番組に対して、関連Ｗｅｂページの更新処理が終了したか否かを判定する。終了したと判定した場合はステップＳ１７６に進み、更新処理が終了していないと判定した場合はステップＳ１７４に戻る。
【手続補正１６】
【補正対象書類名】明細書
【補正対象項目名】０１６８
【補正方法】変更
【補正の内容】
【０１６８】
ステップＳ１７６では、番組属性情報更新検出部１２４が、ステップＳ１７１で設定した取得範囲内の番組に対して放送が中止された番組があるか否かを判定する。放送が中止された番組の有無の判定は、ステップＳ１７１で設定した取得範囲内の番組に対して、番組属性情報保持部１０８には番組属性情報が存在するが、放送波からは番組属性情報が取得されない番組の有無を判定することで行う。放送が中止された番組が存在すると判定した場合はステップＳ１７７に進み、存在しないと判定した場合はステップＳ１７８に進む。
【手続補正１７】
【補正対象書類名】明細書
【補正対象項目名】０１６９
【補正方法】変更
【補正の内容】
【０１６９】
ステップＳ１７７では、関連Ｗｅｂページ検索・更新部１２１が、番組属性情報更新検出部１２４が検出した放送が中止された番組に係る関連Ｗｅｂページの削除処理を行う。ステップＳ１７７の関連Ｗｅｂページ削除処理の詳細については、図４９で説明する。
ステップＳ１７８では、ＴＶ受信部１０１は、ステップＳ１７２で設定した放送波から取得した番組属性情報に基づき、番組属性情報保持部１０８に保持されている番組属性情報を更新する。
【手続補正１８】
【補正対象書類名】明細書
【補正対象項目名】０１７０
【補正方法】変更
【補正の内容】
【０１７０】
続いて、ステップＳ１７９において、番組属性情報更新検出部１２４は図５０のテーブルを用いて次に番組属性情報を取得する範囲の有無を確認することで、更新処理対象の番組が存在するか否かを判定する。更新処理対象の番組が存在すると判定した場合はステップＳ１７１に戻り、更新処理対処の番組が存在しないと判定した場合は関連Ｗｅｂページの更新処理を終了する。
【手続補正１９】
【補正対象書類名】明細書
【補正対象項目名】０１７１
【補正方法】変更
【補正の内容】
【０１７１】
続いて、図４７のステップＳ１７４で実施する関連Ｗｅｂページの検索結果更新処理の詳細を図４８のフローチャートを用いて説明する。
まず、ステップＳ１８１において、番組属性情報更新検出部１２４は放送波から番組属性情報を取得した番組が番組属性情報保持部１０８に存在するか否かを判定する。つまり、過去、番組属性情報が取得されている番組であるか否かを判定する。未取得、即ち、新たに取得された番組であると判定した場合は、ステップＳ１８３に進み、既に番組属性情報を取得済みの番組であると判定した場合はステップＳ１８２に進む。
【手続補正２０】
【補正対象書類名】明細書
【補正対象項目名】０１７２
【補正方法】変更
【補正の内容】
【０１７２】
ステップＳ１８２では、番組属性情報更新検出部１２４が、放送波から取得した番組属性情報と、既に番組属性情報保持部１０８に保持されている番組属性情報の内容が一致しているか否かを判定する。番組属性情報の内容が一致しているか否かの判定は、図４７のステップＳ１７３と同様に、２つの番組属性情報を比較することで行う。一致していると判定した場合は関連Ｗｅｂページ更新処理を終了し、一致していないと判定した場合はステップＳ１８３に進む。
【手続補正２１】
【補正対象書類名】明細書
【補正対象項目名】０１７３
【補正方法】変更
【補正の内容】
【０１７３】
ステップＳ１８３では、関連Ｗｅｂページ検索・更新部１２１が、検索対象の番組に対して第１実施形態で説明した図５のステップＳ２５〜Ｓ２６と同じ関連Ｗｅｂページ検索処理を行う。
ステップＳ１８４では、関連Ｗｅｂページ検索・更新部１２１が、ステップＳ１８３で行った関連Ｗｅｂページ検索処理の検索結果に基づき、検索結果保持部１２２に保持されている検索対象の番組の関連Ｗｅｂページ情報を更新する。
【手続補正２２】
【補正対象書類名】明細書
【補正対象項目名】０１７４
【補正方法】変更
【補正の内容】
【０１７４】
続いて、図４７のステップＳ１７７で実施する関連Ｗｅｂページの検索結果削除処理の詳細を図４９のフローチャートを用いて説明する。
ステップＳ１９１において、関連Ｗｅｂページ検索・更新部１２１は放送が中止された番組に対して、検索結果保持部１２２に保持されている関連Ｗｅｂページを削除する。放送が中止された番組の特定は、図４７のステップＳ１７１で示したように、番組属性情報保持部１０８には番組属性情報が保持されており、かつ、放送波からは番組属性情報が取得されない番組を特定することで行う。
【手続補正２３】
【補正対象書類名】明細書
【補正対象項目名】０１７５
【補正方法】変更
【補正の内容】
【０１７５】
続いて、ステップＳ１９２において、関連Ｗｅｂページ検索・更新部１２１は放送が中止された番組に対して関連Ｗｅｂページの削除処理が終了したか否かを判定する。終了したと判定した場合は関連Ｗｅｂページ削除処理を終了し、終了しないと判定した場合はステップＳ１９１に戻る。
【手続補正２４】
【補正対象書類名】明細書
【補正対象項目名】０１８２
【補正方法】変更
【補正の内容】
【０１８２】
続いて、本実施形態のテレビ受像機における関連Ｗｅｂページ取得部１１８と関連Ｗｅｂページ通知・表示部１１３が、ＥＰＧに表示中の番組の関連Ｗｅｂページを通知及び表示する処理を図５３のフローチャートを用いて説明する。
まず、ステップＳ２１１では、関連Ｗｅｂページ取得部１１８が番組属性情報保持部１０８からＥＰＧに表示されている番組を特定する情報を取得する。
【手続補正２５】
【補正対象書類名】明細書
【補正対象項目名】０１８３
【補正方法】変更
【補正の内容】
【０１８３】
続いて、ステップＳ２１２において、関連Ｗｅｂページ取得部１１８は検索結果保持部１１５に保持されている関連Ｗｅｂページの検索結果に基づき、ＥＰＧに表示されている番組に関連Ｗｅｂページが存在するか否かを判定する。存在すると判定した場合はステップＳ２１３に進み、存在しないと判定した場合はステップＳ２１５に進む。
【手続補正２６】
【補正対象書類名】明細書
【補正対象項目名】０１８４
【補正方法】変更
【補正の内容】
【０１８４】
ステップＳ２１３では、関連Ｗｅｂページ取得部１１８が検索結果保持部１１５から関連Ｗｅｂページの検索結果を取得する。そして、ステップＳ２１４で、関連Ｗｅｂページ通知・表示部１１５は図３８のステップＳ１４６と同じ処理を行う。
ステップＳ２１５では、関連Ｗｅｂページ取得部１１８がＥＰＧに表示されている番組に対して関連Ｗｅｂページの通知処理が終了したか否かを判定する。終了したと判定した場合はステップＳ２１６に進み、終了しないと判定した場合はステップＳ２１１に戻る。
ステップＳ２１６では、関連Ｗｅｂページ通知・表示部１１５が図３９に示す関連Ｗｅｂページ表示処理と同じ処理を行う。
【手続補正２７】
【補正対象書類名】図面
【補正対象項目名】図４４
【補正方法】変更
【補正の内容】
【図４４】
2007312250.tif 000056